(57)【要約】  伝送タイミング情報送信方法、伝送タイミング情報受信方法、および装置が提供される。当該方法は、基地局が上位層シグナリングを構成する段階であって、上位層シグナリングは、伝送タイミング値を示すために使用される少なくとも１つの伝送タイミングセットを有し、少なくとも１つの伝送タイミングセットの各々は少なくとも１つの伝送タイミング値を含む、段階と、基地局が上位層シグナリングを端末に送信する段階と、基地局がダウンリンク制御情報ＤＣＩを決定する段階であって、ＤＣＩは、少なくとも１つの伝送タイミングセットの中から伝送タイミング値を決定するよう端末に命令するために使用され、決定された伝送タイミング値は、端末が使用するよう命令される、フィードバック情報を送信するときに使用するスロットである、段階と、基地局がＤＣＩを端末に送信する段階とを備える。端末が、少なくとも１つの伝送タイミングセットを有する上位層シグナリングを受信する場合、基地局は、端末の伝送タイミング値の指示を保持するためだけにＤＣＩを使用すればよい。そうすることで、比較的長い情報ビットの保持が回避され、制御情報オーバーヘッドが低減される。
2019533391.tif 000002
【特許請求の範囲】
【請求項１】
伝送タイミング情報送信方法であって、
基地局が上位層シグナリングを構成する段階であって、前記上位層シグナリングは、伝送タイミング値を示すために使用される少なくとも１つの伝送タイミングセットを有し、前記少なくとも１つの伝送タイミングセットの各々は、少なくとも１つの伝送タイミング値を含み、前記少なくとも１つの伝送タイミングセットは、サブキャリア幅、ＴＤＤ方式、および端末機能のうちの少なくとも１つの因子に関連している、段階と、
前記基地局が前記上位層シグナリングを端末に送信する段階と、
前記基地局がダウンリンク制御情報ＤＣＩを決定する段階であって、前記ＤＣＩは、前記少なくとも１つの伝送タイミングセットの中から伝送タイミング値を決定するよう前記端末に命令するために使用され、決定された前記伝送タイミング値は、前記端末が使用するよう命令される、フィードバック情報を送信するときに使用するスロットである、段階と、
前記基地局が前記ＤＣＩを前記端末に送信する段階と
を備える
方法。
【請求項２】
前記ＤＣＩが前記少なくとも１つの伝送タイミングセットの中から伝送タイミング値を決定するよう前記端末に命令するために使用されることは、前記ＤＣＩのＤＣＩフォーマットが第１の情報フィールドを含み、伝送タイミングセットにおける伝送タイミング値が、前記第１の情報フィールドに基づいて示されることを含み、
前記少なくとも１つの伝送タイミングセットが少なくとも２つの伝送タイミングセットである場合、前記ＤＣＩが前記少なくとも１つの伝送タイミングセットの中から伝送タイミング値を決定するよう前記端末に命令するために使用されることは、
前記少なくとも１つの伝送タイミングセットのうちの１つが前記ＤＣＩの前記ＤＣＩフォーマットに基づいて決定され、前記ＤＣＩフォーマットが第１の情報フィールドを含み、前記第１の情報フィールドが、紐付け関係を有する前記セットにおける伝送タイミング値を示すために使用されること、または、
前記ＤＣＩによって占有される制御チャネル時間周波数リソースにおいて送信が実行され、前記少なくとも１つの伝送タイミングセットのうちの少なくとも１つが前記制御チャネル時間周波数リソースに基づいて決定されること
をさらに含む、
請求項１に記載の方法。
【請求項３】
前記ＤＣＩが前記少なくとも１つの伝送タイミングセットの中から伝送タイミング値を決定するよう前記端末に命令するために使用されることは、前記ＤＣＩのＤＣＩフォーマットが第１の情報フィールドを含み、伝送タイミングセットにおける伝送タイミング値が、前記第１の情報フィールドに基づいて示されることを含み、
前記少なくとも１つの伝送タイミングセットが少なくとも２つの伝送タイミングセットである場合、前記ＤＣＩが前記少なくとも１つの伝送タイミングセットの中から伝送タイミング値を決定するよう前記端末に命令するために使用されることは、
前記ＤＣＩの前記ＤＣＩフォーマットが第２の情報フィールドをさらに含み、前記少なくとも１つの伝送タイミングセットのうちの１つが、前記第２のフィールドに基づいて決定されることをさらに含む、
請求項１に記載の方法。
【請求項４】
前記少なくとも１つの伝送タイミングセットは第１のサブキャリアセットを含み、前記第１のサブキャリアセットにおける伝送タイミング値は、サブキャリア幅によって決まる、
請求項１に記載の方法。
【請求項５】
前記少なくとも１つの伝送タイミングセットは、第１のサブキャリアセットおよび第２のサブキャリアセットを含み、前記第１のサブキャリアセットにおける伝送タイミング値は、第１のサブキャリア幅に基づいて決定され、前記第２のキャリアセットにおける伝送タイミング値は、第２のサブキャリア幅に基づいて決定され、前記第１のサブキャリアセットにおける前記伝送タイミング値のうちの少なくとも１つは、前記第２のキャリアセットにおける前記伝送タイミング値とは異なる、
請求項１に記載の方法。
【請求項６】
前記ＤＣＩを前記端末に送信する前記段階は、
前記基地局が一次制御チャネルを介して前記ＤＣＩを前記端末に送信する段階、または
前記基地局が一次制御チャネルおよび二次制御チャネルを介して前記ＤＣＩを前記端末に送信する段階であって、前記ＤＣＩは前記二次制御チャネルに配置される、段階を有する、
請求項１から５のいずれか一項に記載の方法。
【請求項７】
前記伝送タイミング値は、
前記基地局によるダウンリンクデータの前記端末への送信と、前記基地局による、前記端末が送信したアップリンク送達確認情報の受信との間隔に関する情報、または、
前記端末デバイスによるアップリンクスケジューリング情報の前記基地局への送信と、前記端末によるアップリンクデータの送信との間隔に関する情報
のうちの１または複数であり、前記間隔に関する前記情報は、スロット数を含む、
請求項１から５のいずれか一項に記載の方法。
【請求項８】
伝送タイミング情報受信方法であって、
端末が基地局から上位層シグナリングおよびダウンリンク制御情報ＤＣＩを受信する段階であって、前記上位層シグナリングは、伝送タイミング値を示すために使用される少なくとも１つの伝送タイミングセットを有し、前記少なくとも１つの伝送タイミングセットの各々は、少なくとも１つの伝送タイミング値を含み、前記ＤＣＩは、前記少なくとも１つの伝送タイミングセットの中から伝送タイミング値を決定するよう前記端末に命令するために使用され、前記少なくとも１つの伝送タイミングセットは、サブキャリア幅、ＴＤＤ方式、および端末機能のうちの少なくとも１つの因子に関連している、段階と、
前記ＤＣＩに基づいて前記少なくとも１つの伝送タイミングセットの中から前記伝送タイミング値を決定し、決定された前記伝送タイミング値に対応するスロットにおいてフィードバック情報を送信する段階と
を備える
方法。
【請求項９】
前記ＤＣＩに基づいて前記少なくとも１つの伝送タイミングセットの中から前記伝送タイミング値を決定する前記段階は、
前記端末が、前記ＤＣＩのフォーマットに基づいて前記少なくとも１つの伝送タイミングセットのうちの１つを決定する段階と、
前記ＤＣＩに含まれる情報フィールドにおいて搬送される指示情報に基づいて、決定された前記伝送タイミングセットの中から前記伝送タイミング値を決定する段階と
を有する、
請求項８に記載の方法。
【請求項１０】
前記端末が一次制御チャネルおよび二次制御チャネルを介して前記ＤＣＩを取得する場合、前記ＤＣＩに基づいて前記少なくとも１つの伝送タイミングセットの中から前記伝送タイミング値を決定する前記段階は、
前記端末が前記一次制御チャネルからリソーススケジューリング指示情報を取得する段階と、
前記リソーススケジューリング指示情報に基づいて前記二次制御チャネルの時間周波数リソース位置を決定する段階と、
前記二次制御チャネルの前記時間周波数リソース位置において搬送される前記ＤＣＩに基づいて前記少なくとも１つの伝送タイミングセットの中から前記伝送タイミング値を決定する段階とを有する、
請求項８または９に記載の方法。
【請求項１１】
基地局であって、
上位層シグナリングを構成するよう構成される処理ユニットであって、前記上位層シグナリングは、伝送タイミング値を示すために使用される少なくとも１つの伝送タイミングセットを有し、前記少なくとも１つの伝送タイミングセットの各々は、少なくとも１つの伝送タイミング値を含み、前記少なくとも１つの伝送タイミングセットは、サブキャリア幅、ＴＤＤ方式、および端末機能のうちの少なくとも１つの因子に関連している、処理ユニットと、
前記上位層シグナリングを端末に送信するよう構成される送受信ユニットであって、前記処理ユニットはさらに、ダウンリンク制御情報ＤＣＩを決定するよう構成され、前記ＤＣＩは、前記少なくとも１つの伝送タイミングセットの中から伝送タイミング値を決定するよう前記端末に命令するために使用され、決定された前記伝送タイミング値は、前記端末が使用するよう命令される、フィードバック情報を送信するときに使用するスロットである、送受信ユニットと、
備え、
前記送受信ユニットはさらに、前記ＤＣＩを前記端末に送信するよう構成される、
基地局。
【請求項１２】
前記ＤＣＩのＤＣＩフォーマットは第１の情報フィールドを含み、
前記処理ユニットはさらに、前記第１の情報フィールドに基づいて伝送タイミングセットにおける伝送タイミング値を示すよう構成され、前記少なくとも１つの伝送タイミングセットが少なくとも２つの伝送タイミングセットである場合、前記ＤＣＩは、前記少なくとも１つの伝送タイミングセットの中から前記伝送タイミング値を決定するよう前記端末に命令するために使用され、
前記処理ユニットはさらに、前記ＤＣＩの前記ＤＣＩフォーマットに基づいて前記少なくとも１つの伝送タイミングセットのうちの１つを決定することであって、前記第１の情報フィールドは、紐付け関係を有する前記セットにおける伝送タイミング値を示すために使用される、決定すること、または、前記ＤＣＩによって占有される制御チャネル時間周波数リソースにおいて送信を行い、前記制御チャネル時間周波数リソースに基づいて前記少なくとも１つの伝送タイミングセットのうちの少なくとも１つを決定すること、を行うよう構成される、
請求項１１に記載の基地局。
【請求項１３】
前記ＤＣＩのＤＣＩフォーマットは第１の情報フィールドを含み、
前記処理ユニットはさらに、前記第１の情報フィールドに基づいて伝送タイミングセットにおける伝送タイミング値を示すよう構成され、前記少なくとも１つの伝送タイミングセットが少なくとも２つの伝送タイミングセットである場合、前記ＤＣＩは、前記少なくとも１つの伝送タイミングセットの中から前記伝送タイミング値を決定するよう前記端末に命令するために使用され、
前記処理ユニットはさらに、前記ＤＣＩの前記ＤＣＩフォーマットが第２の情報フィールドをさらに含むとき、前記第２のフィールドに基づいて前記少なくとも１つの伝送タイミングセットのうちの１つを決定するよう構成される、
請求項１１に記載の基地局。
【請求項１４】
前記少なくとも１つの伝送タイミングセットは第１のサブキャリアセットを含み、前記第１のサブキャリアセットにおける伝送タイミング値は、サブキャリア幅によって決まる、
請求項１１に記載の基地局。
【請求項１５】
前記少なくとも１つの伝送タイミングセットは、第１のサブキャリアセットおよび第２のサブキャリアセットを含み、前記第１のサブキャリアセットにおける伝送タイミング値は、第１のサブキャリア幅に基づいて決定され、前記第２のキャリアセットにおける伝送タイミング値は、第２のサブキャリア幅に基づいて決定され、前記第１のサブキャリアセットにおける前記伝送タイミング値のうちの少なくとも１つは、前記第２のキャリアセットにおける前記伝送タイミング値とは異なる、
請求項１１に記載の基地局。
【請求項１６】
前記送受信ユニットは具体的に、一次制御チャネルを介して前記ＤＣＩを前記端末に送信するか、または、一次制御チャネルおよび二次制御チャネルを介して、前記二次制御チャネルに配置される前記ＤＣＩを前記端末に送信するよう構成される、
請求項１１から１５のいずれか一項に記載の基地局。
【請求項１７】
前記伝送タイミング値は、
前記基地局によるダウンリンクデータの前記端末への送信と、前記基地局による、前記端末が送信したアップリンク送達確認情報の受信との間隔に関する情報、または、
前記端末による、アップリンクスケジューリング情報の前記基地局への送信と、前記端末によるアップリンクデータの送信との間隔に関する情報
のうちの１または複数であり、前記間隔に関する前記情報は、スロット数を含む、
請求項１１から１５のいずれか一項に記載の基地局。
【請求項１８】
端末であって、
上位層シグナリングおよびダウンリンク制御情報ＤＣＩを受信するよう構成される送受信ユニットであって、前記上位層シグナリングは、伝送タイミング値を示すために使用される少なくとも１つの伝送タイミングセットを有し、前記少なくとも１つの伝送タイミングセットの各々は少なくとも１つの伝送タイミング値を含み、前記ＤＣＩは、前記少なくとも１つの伝送タイミングセットの中から伝送タイミング値を決定するよう前記端末に命令するために使用され、前記少なくとも１つの伝送タイミングセットは、サブキャリア幅、ＴＤＤ方式、および端末機能のうちの少なくとも１つの因子に関連している、送受信ユニットと、
前記ＤＣＩに基づいて前記少なくとも１つの伝送タイミングセットの中から前記伝送タイミング値を決定するよう構成される処理ユニットと
を備え、
前記送受信ユニットはさらに、決定された前記伝送タイミング値に対応するスロットにおいてフィードバック情報を送信するよう構成される、
端末。
【請求項１９】
前記処理ユニットは具体的に、前記ＤＣＩのフォーマットに基づいて前記少なくとも１つの伝送タイミングセットのうちの１つを決定し、前記ＤＣＩに含まれる情報フィールドにおいて搬送される指示情報に基づいて、決定された前記伝送タイミングセットの中から前記伝送タイミング値を決定するよう構成される、
請求項１８に記載の端末。
【請求項２０】
前記端末が一次制御チャネルおよび二次制御チャネルを介して前記ＤＣＩを取得する場合、前記処理ユニットは具体的に、
前記一次制御チャネルからリソーススケジューリング指示情報を取得し、
前記リソーススケジューリング指示情報に基づいて前記二次制御チャネルの時間周波数リソース位置を決定し、
前記二次制御チャネルの前記時間周波数リソース位置において搬送される前記ＤＣＩに基づいて、前記少なくとも１つの伝送タイミングセットの中から前記伝送タイミング値を決定する
よう構成される、
請求項１８または１９に記載の端末。
【発明の詳細な説明】
【技術分野】
【０００１】
本出願は、２０１６年１１月３日に中国特許庁に出願された「伝送タイミング情報送信方法、伝送タイミング情報受信方法、および装置」と題する中国特許出願第２０１６１０９５６６２９．２号および２０１７年２月１０日に中国特許庁に出願された「伝送タイミング情報送信方法、伝送タイミング情報受信方法、および装置」と題する中国特許出願第２０１７１００７４４７３．Ｘ号に基づく優先権を主張し、両出願はその全体が参照によって本明細書に組み込まれる。
【０００２】
本発明は通信技術分野に関し、具体的には、伝送タイミング情報送信方法、伝送タイミング情報受信方法、および装置に関する。
【背景技術】
【０００３】
既存のシステム（例えば、ＬＴＥシステム）では、基地局とユーザ機器は、ＦＤＤ（Ｆｒｅｑｕｅｎｃｙ  Ｄｉｖｉｓｉｏｎ  Ｄｕｐｌｅｘ、周波数分割複信）またはＴＤＤ（Ｔｉｍｅ  Ｄｉｖｉｓｉｏｎ  Ｄｕｐｌｅｘ、時分割複信）によって互いにデータおよび情報を交換する。基地局と端末との間での通信中に使用される伝送タイミング関係は、基地局および端末によって予め規定され取得されている。伝送タイミングは、基地局によるダウンリンクデータの送信と、端末によるアップリンク送達確認フィードバック情報の送信との間の間隔であってよく、例えばハイブリッド自動再送要求（Ｈｙｂｒｉｄ  Ａｕｔｏｍａｔｉｃ  Ｒｅｐｅａｔ  ｒｅｑｕｅｓｔ、ＨＡＲＱ）タイミングであり、または、基地局によるアップリンクスケジューリング指示情報の送信と端末によるアップリンクデータの送信との間の間隔であってよい。例えば、ＦＤＤベースの伝送中、基地局はサブフレームｎにおいてダウンリンクデータを送信し、端末はサブフレームｎ＋４においてデータパケットのＡＣＫ／ＮＡＣＫ（肯定応答／否定応答）情報をフィードバックするので、伝送タイミング情報またはＨＡＲＱタイミング情報は４サブフレームである。
【０００４】
同様に、ＴＤＤベースの伝送中、基地局が送信したデータパケットの最初のサブフレームがｎであるとき、端末はサブフレームｎ＋４においてＡＣＫ／ＮＡＣＫ情報をフィードバックするということが通常は指定される。無線フレームにおけるアップリンクサブフレームおよびダウンリンクサブフレームの構成（単にアップリンクダウンリンクサブフレーム構成と称される）は様々なので、常にサブフレームｎ＋４において情報をフィードバックするということは困難である。したがって、規格によって、指定されたアップリンクダウンリンクサブフレーム構成のＨＡＲＱタイミング情報が予め規定される。
【０００５】
次世代無線通信システムでは、サポートされるサービスのタイプおよび適用シナリオが多様化する。加えて、動的ＴＤＤの場合、無線フレームにおけるアップリンクサブフレームタイプおよびダウンリンクサブフレームタイプは動的に変化する。そのため、伝送タイミング関係の数が増加する。予め規定された方式を使用するとシステムの自由度が低くなり、その場合、次世代システムの設計要件を満たすことができない。伝送タイミングを示すべく、ＤＣＩ（Ｄｏｗｎｌｉｎｋ  Ｃｏｎｔｒｏｌ  Ｉｎｆｏｒｍａｔｉｏｎ、ダウンリンク制御情報）を使用した場合、全ての考えられるタイミング関係を含めるよう、比較的長い情報ビットがＤＣＩにおいて予め規定される必要がある。そうすると、制御シグナリングオーバーヘッドが大きくなる。
【発明の概要】
【０００６】
本出願は、伝送タイミングリソース構成の自由度を高め、ダウンリンク制御情報のオーバーヘッドを低減するための、伝送タイミング情報送信方法と伝送タイミング情報受信方法と装置とを提供する。さらに、本出願は、以下の技術的解決手段を開示する。
【０００７】
第１態様においては伝送タイミング情報送信方法が提供される。当該方法は、基地局が上位層シグナリングを構成する段階であって、上位層シグナリングは、伝送タイミング値を示すために使用される少なくとも１つの伝送タイミングセットを有し、少なくとも１つの伝送タイミングセットの各々は、少なくとも１つの伝送タイミング値を含み、少なくとも１つの伝送タイミングセットは、サブキャリア幅、ＴＤＤ方式、および端末機能のうちの少なくとも１つの因子に関連している、段階と、基地局が上位層シグナリングを端末に送信する段階と、基地局がダウンリンク制御情報ＤＣＩを決定する段階であって、ＤＣＩは、少なくとも１つの伝送タイミングセットの中から伝送タイミング値を決定するよう端末に命令するために使用され、決定された伝送タイミング値は、端末が使用するよう命令される、フィードバック情報を送信するときに使用するスロットである、段階と、基地局がＤＣＩを端末に送信する段階とを備える。
【０００８】
本態様の、上位層シグナリングとダウンリンク制御情報ＤＣＩとを併用することによって伝送タイミングを示すための方法によると、複数の伝送タイミング値セットは、事前に上位層シグナリングにおいて構成され、ＤＣＩは、当該セットの中から特定の伝送タイミング値を選択するよう命令するために使用される。各伝送タイミングセットの値要素は、システムの現在のサービス状況およびサブフレーム構成などの因子に基づいて決定されるので、端末が、複数の伝送タイミングセットを有する上位層シグナリングを受信する場合、基地局は、端末の伝送タイミング値の指示を保持するためだけにＤＣＩを使用すればよい。そうすることで、比較的長い情報ビットの保持が回避され、制御情報オーバーヘッドが低減される。
【０００９】
加えて、複数の伝送タイミング値が、各伝送タイミングセットにおいて構成される。これにより、基地局による伝送タイミング値選択の多様性がさらに増し、伝送タイミング構成の自由度が向上する。
【００１０】
第１態様に関連して、第１態様の第１の実装例において、ＤＣＩが、少なくとも１つの伝送タイミングセットの中から伝送タイミング値を決定するよう端末に命令するために使用されることは、ＤＣＩのＤＣＩフォーマットが第１の情報フィールドを含むことと、伝送タイミングセットにおける伝送タイミング値が第１の情報フィールドに基づいて示されることとを含む。少なくとも１つの伝送タイミングセットが少なくとも２つの伝送タイミングセットである場合、ＤＣＩが、少なくとも１つの伝送タイミングセットの中から伝送タイミング値を決定するよう端末に命令するために使用されることは、当該少なくとも１つの伝送タイミングセットのうちの１つが、ＤＣＩのＤＣＩフォーマットに基づいて決定され、ＤＣＩフォーマットが第１の情報フィールドを含み、第１の情報フィールドは、紐付け関係を有するセットにおける伝送タイミング値を示すために使用されること、または、ＤＣＩによって占有される制御チャネル時間周波数リソースにおいて送信が行われ、少なくとも１つの伝送タイミングセットのうちの少なくとも１つが制御チャネル時間周波数リソースに基づいて決定されること、をさらに含む。
【００１１】
第１態様に関連して、第１態様の第２の実装例において、ＤＣＩが、少なくとも１つの伝送タイミングセットにおける伝送タイミング値を決定するよう端末に命令するために使用されることは、ＤＣＩのＤＣＩフォーマットが第１の情報フィールドを含み、伝送タイミングセットにおける伝送タイミング値が第１の情報フィールドに基づいて示されることを含む。少なくとも１つの伝送タイミングセットが少なくとも２つの伝送タイミングセットである場合、ＤＣＩが、少なくとも１つの伝送タイミングセットにおける伝送タイミング値を決定するよう端末に命令するために使用されることは、ＤＣＩのＤＣＩフォーマットが第２の情報フィールドをさらに含み、少なくとも１つの伝送タイミングセットのうちの１つが、第２のフィールドに基づいて決定されることをさらに含む。
【００１２】
第１態様に関連して、第１態様の第３の実装例において、少なくとも１つの伝送タイミングセットは第１のサブキャリアセットを含み、第１のサブキャリアセットにおける伝送タイミング値は、サブキャリア幅によって決まる。サブキャリア幅が変化すると、それに応じて第１のサブキャリアセットにおける対応する伝送タイミング値が変化する。
【００１３】
第１態様に関連して、第１態様の第４の実装例において、少なくとも１つの伝送タイミングセットは、第１のサブキャリアセットおよび第２のサブキャリアセットを含み、第１のサブキャリアセットにおける伝送タイミング値は、第１のサブキャリア幅に基づいて決定され、第２のキャリアセットにおける伝送タイミング値は、第２のサブキャリア幅に基づいて決定され、第１のサブキャリアセットにおける伝送タイミング値のうちの少なくとも１つは、第２のキャリアセットにおける伝送タイミング値とは異なる。
【００１４】
第１態様、または第１態様の第１から第３の実装例のいずれか１つに関連して、第１態様の第４の実装例において、ＤＣＩを端末に送信する段階は、基地局が一次制御チャネルを介してＤＣＩを端末に送信する段階、または、基地局が一次制御チャネルおよび二次制御チャネルを介してＤＣＩを端末に送信する段階であって、ＤＣＩは二次制御チャネルに配置される、段階を有する。
【００１５】
第１態様、または第１態様の第１から第３の実装例のいずれか１つに関連して、第１態様の第５の実装例において、伝送タイミング値とは、基地局による端末へのダウンリンクデータの送信と、基地局による、端末が送信したアップリンク送達確認情報の受信との間隔に関する情報、または、端末による基地局へのアップリンクスケジューリング情報の送信と、端末によるアップリンクデータの送信との間隔に関する情報のうちの１または複数であり、間隔に関する情報は、スロット数を含む。
【００１６】
第２態様においては、伝送タイミング情報受信方法が提供される。当該方法は、端末が基地局から上位層シグナリングとダウンリンク制御情報ＤＣＩとを受信する段階であって、上位層シグナリングは、伝送タイミング値を示すために使用される少なくとも１つの伝送タイミングセットを有し、少なくとも１つの伝送タイミングセットの各々は少なくとも１つの伝送タイミング値を含み、ＤＣＩは、少なくとも１つの伝送タイミングセットの中から伝送タイミング値を決定するよう端末に命令するために使用され、少なくとも１つの伝送タイミングセットは、サブキャリア幅、ＴＤＤ方式、および端末機能のうちの少なくとも１つの因子に関連している、段階と、ＤＣＩに基づいて少なくとも１つの伝送タイミングセットの中から伝送タイミング値を決定する段階と、決定された伝送タイミング値に対応するスロットにおいてフィードバック情報を送信する段階とを備える。
【００１７】
第２態様に関連して、第２態様の第１の実装例において、ＤＣＩに基づいて少なくとも１つの伝送タイミングセットの中から伝送タイミング値を決定する段階は、端末がＤＣＩのフォーマットに基づいて少なくとも１つの伝送タイミングセットのうちの１つを決定する段階と、ＤＣＩに含まれる情報フィールドにおいて搬送される指示情報に基づいて、決定された伝送タイミングセットの中から伝送タイミング値を決定する段階とを有する。
【００１８】
第２態様に関連して、第２態様の第２の実装例において、端末が一次制御チャネルおよび二次制御チャネルを介してＤＣＩを取得する場合、ＤＣＩに基づいて少なくとも１つの伝送タイミングセットの中から伝送タイミング値を決定する段階は、端末が一次制御チャネルからリソーススケジューリング指示情報を取得する段階と、リソーススケジューリング指示情報に基づいて二次制御チャネルの時間周波数リソース位置を決定する段階と、二次制御チャネルの時間周波数リソース位置において搬送されるＤＣＩに基づいて少なくとも１つの伝送タイミングセットの中から伝送タイミング値を決定する段階とを有する。
【００１９】
第３態様においては、基地局がさらに提供される。基地局は、上位層シグナリングを構成するよう構成される処理ユニットであって、上位層シグナリングは、伝送タイミング値を示すために使用される少なくとも１つの伝送タイミングセットを有し、少なくとも１つの伝送タイミングセットの各々は少なくとも１つの伝送タイミング値を含み、少なくとも１つの伝送タイミングセットは、サブキャリア幅、ＴＤＤ方式、および端末機能のうちの少なくとも１つの因子に関連している、処理ユニットと、上位層シグナリングを端末に送信するよう構成される送受信ユニットとを備える。処理ユニットはさらに、ダウンリンク制御情報ＤＣＩを決定するよう構成され、ＤＣＩは、少なくとも１つの伝送タイミングセットの中から伝送タイミング値を決定するよう端末に命令するために使用され、決定された伝送タイミング値は、端末が使用するよう命令される、フィードバック情報を送信するときに使用するスロットであり、送受信ユニットはさらに、ＤＣＩを端末に送信するよう構成される。加えて、基地局はさらに、第１態様の第１から第５の実装例のいずれか１つの実装例の方法の段階の全部または一部を実装するよう構成される。
【００２０】
第４態様においては、端末がさらに提供される。端末は、上位層シグナリングおよびダウンリンク制御情報ＤＣＩを受信するよう構成される送受信ユニットであって、上位層シグナリングは、伝送タイミング値を示すために使用される少なくとも１つの伝送タイミングセットを有し、少なくとも１つの伝送タイミングセットの各々は少なくとも１つの伝送タイミング値を含み、ＤＣＩは、少なくとも１つの伝送タイミングセットの中から伝送タイミング値を決定するよう端末に命令するために使用され、少なくとも１つの伝送タイミングセットは、サブキャリア幅、ＴＤＤ方式、および端末機能のうちの少なくとも１つの因子に関連している、送受信ユニットと、ＤＣＩに基づいて少なくとも１つの伝送タイミングセットの中から伝送タイミング値を決定するよう構成される処理ユニットとを備える。送受信ユニットはさらに、決定された伝送タイミング値に対応するスロットにおいてフィードバック情報を送信するよう構成される。加えて、端末はさらに、第２態様の第１または第２の実装例の方法の段階の全部または一部を実装するよう構成される。
【００２１】
第５態様においては、伝送タイミング情報送信システムがさらに提供される。当該システムは、基地局と少なくとも１つの端末とを備え、基地局は、上位層シグナリングを構成し、上位層シグナリングを端末に送信するよう構成され、上位層シグナリングは、伝送タイミング値を示すために使用される少なくとも１つの伝送タイミングセットを有し、少なくとも１つの伝送タイミングセットの各々は少なくとも１つの伝送タイミング値を含み、少なくとも１つの伝送タイミングセットは、サブキャリア幅、ＴＤＤ方式、および端末機能のうちの少なくとも１つの因子に関連しており、基地局はさらに、ダウンリンク制御情報ＤＣＩを決定し、ＤＣＩを端末に送信するよう構成され、ＤＣＩは、少なくとも１つの伝送タイミングセットの中から伝送タイミング値を決定するよう端末に命令するために使用され、決定された伝送タイミング値は、端末が使用するよう命令される、フィードバック情報を送信するときに使用するスロットであり、端末は、基地局から上位層シグナリングとダウンリンク制御情報ＤＣＩとを受信し、ＤＣＩに基づいて少なくとも１つの伝送タイミングセットの中から伝送タイミング値を決定し、決定された伝送タイミング値に対応するスロットにおいてフィードバック情報を送信するよう構成される。
【００２２】
第６態様においては、コンピュータ記憶媒体がさらに提供される。コンピュータ記憶媒体はプログラムを記憶することができ、プログラムは、本発明において提供される伝送タイミング情報送信方法および伝送タイミング情報受信方法の実装例の段階の一部または全部を実行してよい。
【図面の簡単な説明】
【００２３】
本出願の実施形態における技術的解決手段をより明確に説明するべく、実施形態の説明に必要な添付図面を以下で簡潔に説明する。
【００２４】
【図１】本出願の一実施形態に係る伝送タイミング情報送信方法の概略フローチャートである。
【００２５】
【図２】本出願の一実施形態に係る、一次制御チャネルおよび二次制御チャネルの時間周波数リソース位置の概略構造図である。
【００２６】
【図３】本出願の一実施形態に係る伝送タイミング情報受信方法の概略フローチャートである。
【００２７】
【図４】本出願の一実施形態に係る、異なるサービスタイプに基づいて異なる伝送タイミングを示すことについての概略図である。
【００２８】
【図５】本出願の一実施形態に係る基地局の概略構造図である。
【００２９】
【図６】本出願の一実施形態に係る端末の概略構造図である。
【００３０】
【図７】本出願の一実施形態に係る基地局のハードウェア構造の他の概略図である。
【００３１】
【図８】本出願の一実施形態に係る端末のハードウェア構造の他の概略図である。
【発明を実施するための形態】
【００３２】
以下の説明を容易にし、本出願を明確に説明するべく、以下ではまず、本出願において使用される可能性のある概念を簡潔に説明する。
【００３３】
本出願の実施形態の通信システムは、ＬＴＥシステムまたは第５世代システムであってよい。通信システムは、少なくとも１つの端末と少なくとも１つのネットワークデバイスとを備える。
【００３４】
端末は、ユーザに情報および／またはデータの接続を提供するデバイス、無線接続機能を有するハンドヘルドデバイス、または、無線モデムに接続される別の処理デバイスであってよい。端末は、無線アクセスネットワーク（ｒａｄｉｏ  ａｃｃｅｓｓ  ｎｅｔｗｏｒｋ、ＲＡＮ）を使用することによって１または複数のコアネットワークと通信してよい。端末は、携帯電話（または「セルラ」電話と称される）などのモバイル端末か、または、モバイル端末を備えたコンピュータ、例えば、音声および／またはデータを無線アクセスネットワークと交換するポータブルの、ポケットサイズの、手持ち式の、コンピュータ内蔵の、または車載のモバイル装置であってよい。例えば、端末は、パーソナル通信サービス（ｐｅｒｓｏｎａｌ  ｃｏｍｍｕｎｉｃａｔｉｏｎ  ｓｅｒｖｉｃｅ、ＰＣＳ）電話、コードレス電話機、セッション開始プロトコル（ｓｅｓｓｉｏｎ  ｉｎｉｔｉａｔｉｏｎ  ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）局、または、パーソナルデジタルアシスタント（ｐｅｒｓｏｎａｌ  ｄｉｇｉｔａｌ  ａｓｓｉｓｔａｎｔ、ＰＤＡ）などのデバイスであってよい。端末は、システム、加入者ユニット（ｓｕｂｓｃｒｉｂｅｒ  ｕｎｉｔ、ＳＵ）、加入者局（ｓｕｂｓｃｒｉｂｅｒ  ｓｔａｔｉｏｎ、ＳＳ）、移動局（ｍｏｂｉｌｅ  ｓｔａｔｉｏｎ、ＭＳ）、リモート局（ｒｅｍｏｔｅ  ｓｔａｔｉｏｎ、ＲＳ）、アクセスポイント（ａｃｃｅｓｓ  ｐｏｉｎｔ、ＡＰ）、リモート端末（ｒｅｍｏｔｅ  ｔｅｒｍｉｎａｌ、ＲＴ）、アクセス端末（ａｃｃｅｓｓ  ｔｅｒｍｉｎａｌ、ＡＴ）、ユーザ端末（ｕｓｅｒ  ｔｅｒｍｉｎａｌ、ＵＴ）、ユーザエージェント（ｕｓｅｒ  ａｇｅｎｔ、ＵＡ）、ユーザデバイス、またはユーザ機器（ｕｓｅｒ  ｅｑｕｉｐｍｅｎｔ、ＵＥ）とも称されてよい。ネットワークデバイスは、基地局、進化型基地局、スケジューリング機能を有する中継局、または基地局機能を有するデバイス等であってよい。基地局は、ＬＴＥシステムの進化型ノードＢ（ｅｖｏｌｖｅｄ  ＮｏｄｅＢ、ｅＮＢ）であってよく、または別のシステムの基地局であってよい。このことは、本出願の実施形態において限定されない。以下は、一例として基地局を使用した説明となっている。
【００３５】
本出願の実施形態では、伝送タイミングは、端末による、基地局が送信したダウンリンクデータの受信と、端末による、基地局へのアップリンク送達確認情報のフィードバックとの間隔を示すために使用されるか、または、基地局による、端末へのアップリンクスケジューリング情報の送信と、端末によるアップリンクデータの送信との間隔を示すために使用される。伝送タイミングは、例えばＨＡＲＱタイミングである。
【００３６】
本出願の実施形態では、フィードバックされたアップリンク送達確認情報またはフィードバック情報は、肯定応答（ａｃｋｎｏｗｌｅｄｇｅｍｅｎｔ、ＡＣＫ）情報と否定応答（ｎｅｇａｔｉｖｅ  ａｃｋｎｏｗｌｅｄｇｍｅｎｔ、ＮＡＣＫ）情報とを含んでよい。基地局は、受信したＡＣＫ／ＮＡＣＫ情報に基づいてデータパケットを再伝送するか否かを判断する。基地局がＡＣＫ情報を受信した場合、基地局は、新しいデータパケットの伝送を開始する。基地局が端末によってフィードバックされたＮＡＣＫ情報を受信した場合、基地局はデータパケットの再伝送動作を開始する。
【００３７】
本出願の一実施形態は、伝送タイミング構成の自由度を向上させ、ＤＣＩ指示情報のオーバーヘッドを低減するための伝送タイミング情報送信方法を提供する。図１に示すように、当該方法は以下の段階を備える。
【００３８】
段階１０１：基地局が、上位層シグナリングを構成する。ここで、上位層シグナリングは、伝送タイミング値を示すために使用される少なくとも１つの伝送タイミングセットを有し、少なくとも１つの伝送タイミングセットの各々は少なくとも１つの伝送タイミング値を含み、少なくとも１つの伝送タイミングセットは、サブキャリア幅、ＴＤＤ方式、端末機能、およびシステムアップリンクダウンリンク構成等のうちの少なくとも１つの因子に関連している。
【００３９】
システムアップリンクダウンリンク構成は、システムにおけるスロットのスロットタイプの組み合わせ関係である。例えば、連続する１０個のスロットずつで１つのグループを構成し、グループ内の各スロットは、全てがアップリンクのスロット、全てがダウンリンクのスロット、主にアップリンクのスロット、または主にダウンリンクのスロットである。
【００４０】
ＴＤＤ方式は、半静的ＴＤＤシステムおよび動的ＴＤＤシステムを含む。半静的ＴＤＤシステムでは、各スロットのスロットタイプは、上位層シグナリングを使用することによって示されるか、または予め規定された方式で決定される。動的ＴＤＤシステムでは、各スロットのスロットタイプは、物理層シグナリングを使用することによって通知される。スロットタイプは、全てがアップリンクのスロット、全てがダウンリンクのスロット、主にアップリンクのスロット、または主にダウンリンクのスロットを含む。
【００４１】
基地局が上位層シグナリングを構成することは、具体的に、基地局が、端末機能、サブキャリア幅、ＴＤＤ方式、およびシステムアップリンクダウンリンク構成のうちの１または複数の因子に基づく異なる伝送タイミングセットを、分けることによって取得することを含む。各伝送タイミングセットは、複数の伝送タイミング値を含む。例えば、上位層シグナリングは、第１の伝送タイミングセットおよび／または第２の伝送タイミングセットを有し、当該セットにおける各値が伝送タイミング値である。
【００４２】
第１の伝送タイミングセットにおける伝送タイミング値と第２の伝送タイミングセットにおける伝送タイミング値とは、異なるサービスに対応する異なる値、異なる端末機能に対応する異なる値、または、異なるＴＤＤ方式に対応する異なる値もしくは異なるアップリンクダウンリンクサブフレーム構成に対応する異なる値であってよい。例えば、第１の伝送タイミングセットは、データ処理機能の高い端末に対して構成され、第２の伝送タイミングセットは、データ処理機能の低い端末に対して構成されるか、または、第１の伝送タイミングセットはアップリンクダウンリンク構成に基づいて第１の構成のシステムに対して構成され、第２の伝送タイミングセットは、アップリンクダウンリンク構成に基づいて第２の構成のシステムに対して構成される。ここで、第１の構成は第２の構成とは異なり、または、システムは、半静的ＴＤＤシステム用の第１の伝送タイミングセットを構成し、また、動的ＴＤＤシステム用の第２の伝送タイミングセットを構成する。加えて、送信予定のＤＣＩが配置される時間周波数リソースに基づいて、異なる伝送タイミングセットが決定および構成されてよい。ここで、ＵＬはアップリンク（Ｕｐｌｉｎｋ）を指し、ＤＬはダウンリンク（Ｄｏｗｎｌｉｎｋ）を指す。
【００４３】
伝送タイミング値は、基地局による端末へのダウンリンクデータの送信と、基地局による、端末が送信したアップリンク送達確認情報の受信との間隔に関する情報、または、端末による基地局へのアップリンクスケジューリング情報の送信と、端末によるアップリンクデータの送信との間隔に関する情報であってよい。間隔に関する情報は、スロット数を含む。例えば、基地局はサブフレームまたはスロットｎにおいてダウンリンクデータを送信し、端末は、サブフレームまたはスロットｎ＋ｋにおいてアップリンク送達確認情報を送信する。ここで、ｋの値は、上位層シグナリングにおいて構成された伝送タイミング値セットにおける値である。
【００４４】
任意で、端末が特定の状況にあるとき、少なくとも１つの伝送タイミングセットは無効になり、当該伝送タイミングセットにおける値はもはや適用可能ではなくなる。かかる特定の状況とは、例えば、セルのハンドオーバまたはＲＲＣ接続再設定であってよい。
【００４５】
任意で、伝送タイミングセットにおけるタイミング値は、少なくとも１つのデフォルト値をさらに含んでよい。少なくとも１つの伝送タイミングセットが無効である場合、端末は、デフォルト値に基づいて伝送タイミング値を決定する。例えば、伝送タイミング値はデフォルト値に等しい。
【００４６】
任意で、デフォルト値は、システムによって予め規定されてよい。具体的には、デフォルト値は、基地局および端末が事前に知り得る値、または、構成され得る値であってよい。例えば、端末は、受信したシステム情報またはランダムアクセスに関連する情報に基づいて値を決定してよい。ランダムアクセスに関連する情報は、端末が最初のアクセスを行うときに基地局が送信する第２のメッセージまたは第４のメッセージであってよい。
【００４７】
端末が使用する少なくとも１つのタイミングセットが無効になった後、基地局が新しいタイミング値を使用するにもかかわらず端末が無効なタイミング値を使用した場合、データがうまく伝送されない場合がある、という技術的課題が、デフォルト値を設定することで解決され得る。
【００４８】
段階１０２：基地局が、上位層シグナリングを端末に送信する。
【００４９】
段階１０３：基地局が、ダウンリンク制御情報ＤＣＩを決定する。ここで、ＤＣＩは、少なくとも１つの伝送タイミングセットの中から伝送タイミング値を決定するよう端末に命令するために使用され、決定された伝送タイミング値は、端末が使用するよう命令される、フィードバック情報を送信するときに使用するスロットである。
【００５０】
具体的には、ＤＣＩは、第１の伝送タイミングセットにおける伝送タイミング値と第２の伝送タイミングセットにおける伝送タイミング値とを示す情報フィールドを含む。例えば、ＤＣＩは伝送タイミング値を示す情報フィールドを含み、情報フィールドは、伝送タイミングセットにおける特定の伝送タイミング値を示すために使用される。この場合、ＤＣＩは、現在のサブフレームにスケジューリングされたダウンリンクデータの送達確認情報のフィードバックのための間隔を端末に対して示すために使用される２ビットの指示フィールドを含む。ＤＣＩの値が"００"である場合、当該セットにおける対応する伝送タイミング値はｋ１である。端末がＤＣＩを受信するとき、それは、伝送タイミング値が"００"であることを示し、端末は、スロットまたはサブフレームｎ＋ｋ１において基地局にＡＣＫ／ＮＡＣＫなどの送達確認情報をフィードバックする。
【００５１】
伝送タイミング情報指示方式は、ＤＣＩのフォーマットと第１の情報フィールドとを併用して伝送タイミング値を示す。具体的な指示プロセスは、ＤＣＩのＤＣＩフォーマットが第１の情報フィールドを含み、基地局が第１の情報フィールドに基づいて伝送タイミングセットにおける伝送タイミング値を示すことを含む。ここで、２またはそれより多い伝送タイミングセットが存在する場合、ＤＣＩはこれらの伝送タイミングセットの中から伝送タイミング値を決定するよう端末に命令するために使用され、基地局は、ＤＣＩのＤＣＩフォーマットであって、紐付け関係を有するセットにおける伝送タイミング値を示すために使用される第１の情報フィールドを含むＤＣＩフォーマット、に基づいて少なくとも１つの伝送タイミングセットのうちの１つを決定するか、または、ＤＣＩによって占有される制御チャネル時間周波数リソースにおいて送信を行い、制御チャネル時間周波数リソースに基づいて、複数の伝送タイミングセットの中から少なくとも１つの伝送タイミングセットを決定することを含む。
【００５２】
別の伝送タイミング情報指示方式は、第１の情報フィールドと第２の情報フィールドとを併用して伝送タイミング値を示す。具体的には、ＤＣＩのフォーマットが使用されてよく、ＤＣＩのＤＣＩフォーマットは第１の情報フィールドを含み、伝送タイミングセットにおける伝送タイミング値は、第１の情報フィールドに基づいて示される。２またはそれより多い伝送タイミングセットが含まれるとき、ＤＣＩは、これらの伝送タイミングセットの中から伝送タイミング値を決定するよう端末に命令するために使用され、加えて、ＤＣＩのＤＣＩフォーマットは第２の情報フィールドをさらに含んでよく、第２の情報フィールドは、複数の伝送タイミングセットの中から伝送タイミングセットを決定するために使用される。
【００５３】
任意で、当該伝送タイミングセットにおけるタイミング値が段階１０１で説明したような少なくとも１つのデフォルト値をさらに含むとき、段階１０３において任意で、基地局が、ダウンリンク制御情報ＤＣＩであって、少なくとも１つの伝送タイミングセットの中から伝送タイミング値を決定するよう端末に命令するために使用されるＤＣＩ、を決定することは、ＤＣＩの指示フィールドが、デフォルト値を使用するよう端末に命令することを含む。例えば、上述の例で説明したように、ＤＣＩは、現在のサブフレームにスケジューリングされたダウンリンクデータの伝送送達確認情報をフィードバックするための間隔を端末に示すために使用される２ビットの指示フィールドを含む。ＤＣＩの値が"００"である場合、当該セットにおける対応する伝送タイミング値は、デフォルト値に基づいて決定される。指示情報が"０１，１０，１１"であるとき、指示情報は、当該タイミングセットにおける残りの値に基づいて伝送タイミング値を決定するよう端末に命令するために使用される。
【００５４】
段階１０４：基地局が、ＤＣＩを端末に送信する。
【００５５】
基地局がＤＣＩを送信するとき、ＤＣＩの指示情報によって示されるスロットは、アップリンクＡＣＫ／ＮＡＣＫを伝送するために使用することができるアップリンク伝送リソースを含む必要があり、アップリンクＡＣＫ／ＮＡＣＫを伝送するための特定の時間周波数リソース位置は、スケジューリングされたダウンリンク伝送データとの紐付け関係を有してよい。例えば、アップリンクＡＣＫ／ＮＡＣＫの周波数ドメインリソース情報は、スケジューリングされたダウンリンク伝送リソースの第１のＰＲＢ（Ｐｈｙｓｉｃａｌ  Ｒｅｓｏｕｒｃｅ  Ｂｌｏｃｋ、物理リソースブロック）の周波数ドメイン位置との紐付け関係を有する。
【００５６】
基地局は、一次制御チャネルを介してＤＣＩを端末に送信するか、または一次制御チャネルと二次制御チャネルとの両方を介してＤＣＩを端末に送信してよい。後者の場合、ＤＣＩは、二次制御チャネルに配置される。
【００５７】
図２に示すように、図２は、２つのレベルの制御チャネルの概略構造図である。一次制御チャネルは、スロットまたはサブフレームの全体の制御エリアに位置し、二次制御チャネルは、当該サブフレームのデータエリアに位置している。ＤＣＩが一次制御チャネルおよび二次制御チャネルの両方を介して送信される場合、一次制御チャネルはリソーススケジューリング指示情報を含み、リソーススケジューリング指示情報は、二次制御チャネルにおけるＤＣＩの時間周波数リソース位置を示すために使用される。二次制御チャネルは、伝送タイミング値を示す情報を搬送するために使用される。ここで、ＧＰはガード期間（Ｇｕａｒｄ  Ｐｅｒｉｏｄ）を指し、ＵＬはアップリンク（Ｕｐｌｉｎｋ）を指す。
【００５８】
上位層シグナリングとダウンリンク制御情報ＤＣＩとを併用することによって伝送タイミングを示すための方法によると、少なくとも１つの伝送タイミング値セットは、事前に上位層シグナリングにおいて構成され、ＤＣＩは、当該セットの中から特定の伝送タイミング値を選択するよう命令するために使用される。各伝送タイミングセットにおける値要素はシステムの現在のサービス状況およびサブフレーム構成などの因子に基づいて決定されるので、端末が、少なくとも１つの伝送タイミングセットを含む上位層シグナリングを受信する場合、基地局は、端末の伝送タイミング値の指示を保持するためだけにＤＣＩを使用すればよい。そうすることで、比較的長い情報ビットの保持が回避され、制御情報オーバーヘッドが低減される。
【００５９】
さらに、基地局がＤＣＩと伝送タイミングセットとの間の対応関係を構成するプロセスは、以下のケースを含む。
【００６０】
あるケースでは、基地局は、ＤＣＩフォーマットに基づいて少なくとも１つの伝送タイミングセットとの紐付け関係を確立し、それによって、端末は、ＤＣＩフォーマットに基づいて伝送タイミングセットを決定することができる。ＤＣＩフォーマットは、第１の情報フィールドを含む。第１の情報フィールドは、紐付け関係を有する当該セットにおける伝送タイミング値を示すために使用される。例えば、第１の情報フィールドは、第１のセットにおける特定の値を含む。
【００６１】
別のケースでは、紐付け関係が、ＤＣＩフォーマットと２またはそれより多い伝送タイミングセットとの間に確立される。具体的には、ＤＣＩフォーマットは第１の情報フィールドおよび第２の情報フィールドを含む。第１の情報フィールドは、伝送タイミングセットとの紐付け関係を有し、第１の情報フィールドは、複数のセットの中の、当該紐付け関係を有する伝送タイミングセットを示すために使用される。第２の情報フィールドは、紐付け関係を有する当該セットにおける伝送タイミング値を示すために使用される。
【００６２】
さらに別のケースでは、基地局は代替的に、制御チャネル時間周波数リソースに基づいて、少なくとも１つの伝送タイミングセットとの紐付け関係を確立してよい。具体的には、制御チャネル時間周波数リソースは複数のエリアを含み、各エリアはＤＣＩを送信するために使用され、各エリアは、伝送タイミングセットに対応している。ＤＣＩを受信した後、端末は、ＤＣＩが配置される制御チャネル時間周波数リソースのエリアに関する情報に基づいて、当該ＤＣＩに対応する伝送タイミングセットを決定する。
【００６３】
さらに別のケースでは、基地局は、ＤＣＩのＤＣＩフォーマットに含まれる情報ビットの長さに基づいて、異なる伝送タイミングセットとの紐付け関係を確立する。例えば、第１の伝送タイミングセットと閾値より短い情報ビット長のＤＣＩとの間で、紐付け関係が確立され、第２の伝送タイミングセットと閾値より長いかまたはそれに等しいビット長のＤＣＩとの間で、紐付け関係が確立される。
【００６４】
上述においてはいくつかの紐付け関係確立ケースだけが列挙されているのであって、上述のケースに限定されるわけではないことに留意されたい。基地局は代替的に、サブキャリア幅およびアップリンクダウンリンクサブフレーム構成などの因子に基づいて、伝送タイミングセットとＤＣＩとの間の紐付け関係を確立してよい。例えば、基地局は、サブキャリア幅に基づいてＤＣＩを決定し、ＤＣＩは、サブキャリア幅に対応する伝送タイミング値を示すために使用され、ＤＣＩは、当該サブキャリア幅に対応する伝送タイミングセットとの紐付け関係を有する。
【００６５】
伝送タイミング値指示の自由度を向上させるべく、伝送タイミングセットにおける伝送タイミング値は、ＤＣＩによって異なる。
【００６６】
さらに、上位層シグナリングにおける少なくとも１つの伝送タイミングセットは第１のサブキャリアセットを含み、第１のサブキャリアセットにおける伝送タイミング値は、サブキャリア幅によって決まる。サブキャリア幅が変化すると、第１のサブキャリアセットにおける対応する伝送タイミング値も変化する。
【００６７】
例えば、第１の時点において、基地局は、その時点のサブキャリア幅に基づいて第１のＤＣＩを決定し、第１のＤＣＩは、第１のサブキャリアセットにおける伝送タイミング値を示すために使用され、第１の時点の後の時点、例えば第２の時点、において、基地局は、第２の時点のサブキャリア幅に基づいて第２のＤＣＩを生成する。基地局は、伝送タイミングセットを調整するよう上位層シグナリングを構成することによって、および、ＤＣＩの指示を使用することによって、伝送タイミングを高い自由度で示す。
【００６８】
あるいは、２またはそれより多い伝送タイミングセットがサブキャリア幅に関連している場合、紐付け関係の構成および確立の方式は、異なる時点における異なるサブキャリア幅に基づいて異なる伝送タイミングセットを構成することであってよい。第１のサブキャリアセットおよび第２のサブキャリアセットという２つの伝送タイミングセットが、一例として使用される。第１のサブキャリアセットにおける伝送タイミング値は、第１のサブキャリア幅に基づいて決定され、第２のキャリアセットにおける伝送タイミング値は、第２のサブキャリア幅に基づいて決定される。システム構成が第１のサブキャリア幅であるとき、基地局はＤＣＩを決定し、当該ＤＣＩは、第１のサブキャリアセットに対応している。システム構成が第２のサブキャリア幅であるとき、基地局はＤＣＩを決定し、当該ＤＣＩは、第２のサブキャリアセットに対応している。第１のサブキャリア幅および第２のサブキャリア幅は、周波数分割多重方式または時間分割多重方式で、同じシステムにおいて構成されてよい。この実施形態では、基地局がＤＣＩにおいて示される伝送タイミング値をサブキャリア幅に基づいて決定する例は、情報指示の自由度をさらに向上させる。
【００６９】
本出願の別の実施形態では、受信側において、伝送タイミング情報受信方法がさらに提供される。図３に示すように、当該方法は以下の段階を備える。
【００７０】
段階３０１：端末が、基地局から上位層シグナリングおよびダウンリンク制御情報ＤＣＩを受信する。
【００７１】
上位層シグナリングは、伝送タイミング値を示すために使用される少なくとも１つの伝送タイミングセットを有する。少なくとも１つの伝送タイミングセットの各々は、少なくとも１つの伝送タイミング値を含む。ＤＣＩは、少なくとも１つの伝送タイミングセットの中から伝送タイミング値を決定するよう端末に命令するために使用される。少なくとも１つの伝送タイミングセットは、サブキャリア幅、ＴＤＤ方式、および端末機能等のうちの少なくとも１つの因子に関連している。
【００７２】
さらに、端末はまず、基地局が送信した上位層シグナリングを受信し、次に、ＤＣＩを受信してよい。あるいは、端末は、基地局が送信した上位層シグナリングおよびＤＣＩを同時に受信する。あるいは、上位層シグナリングが端末において予め構成されているか、または端末によって取得されている場合、基地局が送信したＤＣＩは、ＤＣＩを受信する前に上位層シグナリングを取得する必要なく、直接受信されてよい。
【００７３】
基地局が上位層シグナリングを分割し、ＤＣＩを構成するプロセスは、上述の実施形態において説明された方法と同じである。ここでは詳細を繰り返さない。
【００７４】
段階３０２：端末が、ＤＣＩに基づいて少なくとも１つの伝送タイミングセットの中から伝送タイミング値を決定し、決定された伝送タイミング値に対応するスロットにおいてデータ情報および／またはフィードバック情報を基地局に送信する。
【００７５】
考えられる実装例は次のようなものである。上位層シグナリングおよびＤＣＩを取得した後、端末はまず、ＤＣＩのフォーマットに基づいて複数の伝送タイミングセットの中から伝送タイミングセットを決定し、次に、ＤＣＩに含まれる情報フィールドにおいて搬送された指示情報に基づいて、決定された伝送タイミングセットの中から伝送タイミング値を決定する。情報フィールドは、ビット値、リソース割り当て、および変調方法などの指示情報を含む。
【００７６】
端末が２またはそれより多いＤＣＩを取得した場合、端末は、各ＤＣＩと伝送タイミングセットとの間の紐付け関係に基づいて、各ＤＣＩに対応する伝送タイミングセットを決定し、次に、ＤＣＩの情報フィールドに基づいて当該セットの中から伝送タイミング値を決定してよい。例えば、端末は、１つのスロットにおいて、第１のＤＣＩおよび第２のＤＣＩと表される２つのＤＣＩを受信し、２つのＤＣＩのフォーマットが異なり、第１のＤＣＩに含まれる情報フィールドは、第２のＤＣＩに含まれる情報フィールドとは異なる。第１のＤＣＩの情報フィールドは、リソース割り当て、変調方法、および伝送タイミング情報などの情報を含む。第２のＤＣＩの情報フィールドは、変調方法および伝送タイミング情報等を含む。
【００７７】
ＤＣＩと伝送タイミングセットとの間の対応関係の決定中、第１のＤＣＩに含まれる情報ビットの長さが第２のＤＣＩに含まれる情報ビットの長さとは異なるという場合が考えられる。伝送タイミングセットを構成するとき、基地局は、情報ビット長に基づいて伝送タイミングセットとＤＣＩとの間の紐付け関係を確立してよい。例えば、第１のセットと指定された閾値より短い情報ビット長のＤＣＩとの間で紐付け関係が確立され、当該閾値より長い情報ビット長のＤＣＩは、第２のセットに紐付けられる。次に、第１のセットにおける伝送タイミング値と第２のセットにおける伝送タイミング値とが、第１のＤＣＩにおいて保持される情報と第２のＤＣＩにおいて保持される情報とに基づいて決定される。
【００７８】
別の考えられるケースでは、第１のＤＣＩまたは第２のＤＣＩは、情報フィールドが配置されるＤＣＩに対応する第１の伝送タイミングセットまたは第２の伝送タイミングセットを示すために使用される情報フィールドを含む。具体的には、情報フィールドは、１ビットの指示情報を含み、ビット値が"０"のとき、端末は第１の伝送タイミングセットを決定し、ビット値が"１"のとき、端末は第２の伝送タイミングセットを決定する。
【００７９】
あるいは、端末が一次制御チャネルおよび二次制御チャネルを介してＤＣＩを取得する場合、ＤＣＩに基づいて少なくとも１つの伝送タイミングセットの中から伝送タイミング値を決定する段階は、端末が一次制御チャネルからリソーススケジューリング指示情報を取得する段階と、リソーススケジューリング指示情報に基づいて二次制御チャネルの時間周波数リソース位置を決定する段階と、二次制御チャネルの時間周波数リソース位置において搬送されるＤＣＩに基づいて少なくとも１つの伝送タイミングセットの中から伝送タイミング値を決定する段階とを有する。
【００８０】
この実施形態において提供される方法によると、複数のタイミング値セットは、まず上位層シグナリング使用することによって構成され、次に、特定のタイミング値が、物理層の制御指示情報ＤＣＩを使用することによって示される。このようにして、高い自由度で伝送タイミング値が構成され、複数のタイミング関係を物理層の指示情報と共に動的に示すことができる。
【００８１】
加えて、各ＤＣＩは、少なくとも１つの伝送タイミングセットに紐付けられる。そのような紐付けは、ＤＣＩフォーマット、ＤＣＩの情報ビット長、およびサブキャリア幅等に基づいて行われてよく、それによって、ＤＣＩと伝送タイミング値セットとの間の暗黙的に示された関係を確立する。これにより、ＤＣＩのシグナリングオーバーヘッドが低減される。
【００８２】
図５を参照すると、図５は、本出願に係る基地局一実施形態の概略構造図である。基地局は、図１に関連する一実施形態の伝送タイミング情報送信方法を行うよう構成されてよい。
【００８３】
図５に示すように、基地局は、送受信ユニット５０１および処理ユニット５０２を備える。送受信ユニット５０１および処理ユニット５０２に加えて、基地局は、記憶ユニットなどの他のユニットまたはモジュールを備えてよい。
【００８４】
一実施形態において、処理ユニット５０２は、上位層シグナリングを構成するよう構成される。ここで、当該上位層シグナリングは、伝送タイミング値を示すために使用される少なくとも１つの伝送タイミングセットを有し、少なくとも１つの伝送タイミングセットの各々は少なくとも１つの伝送タイミング値を含み、少なくとも１つの伝送タイミングセットは、サブキャリア幅、ＴＤＤ方式、および端末機能等のうちの少なくとも１つの因子に関連している。
【００８５】
送受信ユニット５０１は、上位層シグナリングを端末に送信するよう構成される。
【００８６】
処理ユニット５０２はさらに、ダウンリンク制御情報ＤＣＩを決定するよう構成される。ここで、ＤＣＩは、少なくとも１つの伝送タイミングセットの中から伝送タイミング値を決定するよう端末に命令するために使用され、決定された伝送タイミング値は、端末が使用するよう命令される、フィードバック情報を送信するときに使用するスロットである。
【００８７】
送受信ユニット５０２はさらに、ＤＣＩを端末に送信するよう構成される。
【００８８】
伝送タイミング値は、基地局による端末へのダウンリンクデータの送信と、基地局による、端末が送信したアップリンク送達確認情報の受信との間隔に関する情報、または、端末による基地局へのアップリンクスケジューリング情報の送信と、端末によるアップリンクデータの送信との間隔に関する情報を含む。間隔に関する情報は、スロット数を含む。
【００８９】
任意で、ＤＣＩが、少なくとも１つの伝送タイミングセットの中から伝送タイミング値を決定するよう端末に命令するために使用されることは、ＤＣＩのＤＣＩフォーマットが第１の情報フィールドを含み、伝送タイミングセットにおける伝送タイミング値が第１の情報フィールドに基づいて示されることを含む。少なくとも１つの伝送タイミングセットが少なくとも２つの伝送タイミングセットである場合、ＤＣＩが、少なくとも１つの伝送タイミングセットの中から伝送タイミング値を決定するよう端末に命令するために使用されることは、当該少なくとも１つの伝送タイミングセットのうちの１つが、ＤＣＩのＤＣＩフォーマットに基づいて決定され、ＤＣＩフォーマットが第１の情報フィールドを含み、第１の情報フィールドは、紐付け関係を有するセットにおける伝送タイミング値を示すために使用されること、または、ＤＣＩによって占有される制御チャネル時間周波数リソースにおいて送信が行われ、少なくとも１つの伝送タイミングセットのうちの少なくとも１つが制御チャネル時間周波数リソースに基づいて決定されること、をさらに含む。
【００９０】
任意で、ＤＣＩが、少なくとも１つの伝送タイミングセットの中から伝送タイミング値を決定するよう端末に命令するために使用されることは、ＤＣＩのＤＣＩフォーマットが第１の情報フィールドを含み、伝送タイミングセットにおける伝送タイミング値が第１の情報フィールドに基づいて示されることを含む。少なくとも１つの伝送タイミングセットが少なくとも２つの伝送タイミングセットである場合、ＤＣＩが、少なくとも１つの伝送タイミングセットにおいて伝送タイミング値を決定するよう端末に命令するために使用されることは、ＤＣＩのＤＣＩフォーマットが第２の情報フィールドをさらに含み、少なくとも１つの伝送タイミングセットのうちの１つが第２のフィールドに基づいて決定されることをさらに含む。
【００９１】
任意で、処理ユニット５０２はさらに、ＤＣＩフォーマットに基づいて、少なくとも１つの伝送タイミングセットとの紐付け関係を確立するよう構成されてよい。ＤＣＩフォーマットは第１の情報フィールドを含み、第１の情報フィールドは、当該紐付け関係を有するセットにおける伝送タイミング値を示すために使用される。
【００９２】
任意で、処理ユニット５０２はさらに、ＤＣＩフォーマットに基づいて、少なくとも２つの伝送タイミングセットとの紐付け関係を確立するよう構成されてよい。ＤＣＩのフォーマットは、第１の情報フィールドおよび第２の情報フィールドを含み、第１の情報フィールドは、ＤＣＩと、少なくとも２つの伝送タイミングセットのうちの１つとの間の紐付け関係が存在することを示すために使用され、第２の情報フィールドは、当該紐付け関係を有するセットにおける伝送タイミング値を示すために使用される。
【００９３】
任意で、少なくとも１つの伝送タイミングセットは第１のサブキャリアセットを含み、第１のサブキャリアセットにおける伝送タイミング値は、サブキャリア幅によって決まる。
【００９４】
任意で、少なくとも１つの伝送タイミングセットは、第１のサブキャリアセットおよび第２のサブキャリアセットを含み、第１のサブキャリアセットにおける伝送タイミング値は、第１のサブキャリア幅に基づいて決定され、第２のキャリアセットにおける伝送タイミング値は、第２のサブキャリア幅に基づいて決定され、第１のサブキャリアセットにおける伝送タイミング値のうちの少なくとも１つは、第２のキャリアセットにおける伝送タイミング値とは異なる。
【００９５】
任意で、送受信ユニット５０１は、具体的に、一次制御チャネルを介してＤＣＩを端末に送信するか、または、一次制御チャネルおよび二次制御チャネルを介してＤＣＩを端末に送信するよう構成されてよい。後者の場合、ＤＣＩは、二次制御チャネルに配置される。
【００９６】
任意で、記憶ユニットは、上位層シグナリングと生成されたＤＣＩ情報とを記憶し、端末からのデータまたは情報、例えばＡＣＫ／ＮＣＡＫ情報、を記憶するよう構成される。
【００９７】
この実施形態において提供される基地局および端末によると、基地局側において構成される上位層シグナリングは、複数の伝送タイミング値セットを含み、伝送タイミング値セットにおける要素は、システムの現在のサービスおよびサブフレーム構成に基づいて高い自由度で構成される。端末は、ダウンリンク制御情報ＤＣＩを受信することによって、現在の伝送中に伝送タイミング値、例えばＨＡＲＱタイミング値、を決定する。伝送タイミング値に加えて、ＤＣＩは、ダウンリンクデータまたはアップリンクデータのスケジューリング指示情報をさらに含む。伝送タイミングは、スケジューリング情報と共に送信される。ユーザ機器が、ダウンリンクデータの受信と、ＡＣＫ／ＮＡＣＫのフィードバックとの間隔に関する情報を決定してよく、または、ユーザ機器が、アップリンクスケジューリング情報の受信と、アップリンクデータの送信との間隔に関する情報を決定してよい。
【００９８】
図６を参照すると、図６は、本出願に係る端末の一実施形態の概略構造図である。当該端末は、図３に関連する一実施形態の伝送タイミング情報受信方法を行うよう構成されてよい。
【００９９】
図６に示すように、端末は、送受信ユニット６０１および処理ユニット６０２を備えてよい。送受信ユニット６０１および処理ユニット６０２に加えて、端末は、記憶ユニットなどの他のユニットまたはモジュールを備えてよい。
【０１００】
一実施形態において、送受信ユニット６０１は、上位層シグナリングおよびダウンリンク制御情報ＤＣＩを受信するよう構成されてよい。上位層シグナリングは、伝送タイミング値を示すために使用される少なくとも１つの伝送タイミングセットを有する。少なくとも１つの伝送タイミングセットの各々は、少なくとも１つの伝送タイミング値を含む。ＤＣＩは、少なくとも１つの伝送タイミングセットの中から伝送タイミング値を決定するよう端末に命令するために使用される。少なくとも１つの伝送タイミングセットは、サブキャリア幅、ＴＤＤ方式、および端末機能等のうちの少なくとも１つの因子に関連している。
【０１０１】
処理ユニット６０２は、ＤＣＩに基づいて、少なくとも１つの伝送タイミングセットの中から伝送タイミング値を決定するよう構成される。
【０１０２】
送受信ユニット６０１はさらに、決定された伝送タイミング値に対応するスロットにおいてフィードバック情報を送信するよう構成される。
【０１０３】
任意で、処理ユニット６０２は、具体的に、ＤＣＩのフォーマットに基づいて、少なくとも１つの伝送タイミングセットのうちの１つを決定し、ＤＣＩの情報フィールドに含まれる搬送される指示情報に基づいて、決定された伝送タイミングセットの中から伝送タイミング値を決定するよう構成される。
【０１０４】
任意で、端末が一次制御チャネルおよび二次制御チャネルを介してＤＣＩを取得する場合、処理ユニット６０２は、具体的に、一次制御チャネルからリソーススケジューリング指示情報を取得し、リソーススケジューリング指示情報に基づいて二次制御チャネルの時間周波数リソース位置を決定し、二次制御チャネルの時間周波数リソース位置において搬送されるＤＣＩに基づいて、少なくとも１つの伝送タイミングセットの中から伝送タイミング値を決定するよう構成される。
【０１０５】
図７を参照すると、図７は、本出願に係る基地局の一実施形態の概略構造図である。当該端末は、上述の実施形態のいずれかの基地局であってよく、上述の実施形態の伝送タイミング情報送信方法の段階を行うよう構成される。
【０１０６】
図７に示すように、基地局は、送受信機７０１とプロセッサ７０２と通信バス７０３とメモリ７０４とを備えてよい。送受信機７０１は、少なくとも１つの通信インタフェースおよび／またはＩ／Ｏインタフェースを有する。
【０１０７】
プロセッサ７０２は、基地局の制御中心であり、様々なインタフェースおよび配線を使用することによって端末全体の様々な部分に接続され、メモリ７０２に記憶されたソフトウェアプログラムおよび／またはモジュールを動作させ、または実行し、メモリに記憶されたデータを呼び出す。そうして、基地局の様々な機能が行われ、および／またはデータが処理される。プロセッサ７０２は、集積回路（Ｉｎｔｅｇｒａｔｅｄ  Ｃｉｒｃｕｉｔ、略してＩＣ）、例えば、単一のパッケージングされたＩＣを含んでよく、または、同じ機能もしくは異なる機能を有する複数のパッケージングされたＩＣを接続することによって形成されてよい。例えば、プロセッサは、中央演算処理装置（ｃｅｎｔｒａｌ  ｐｒｏｃｅｓｓｉｎｇ  ｕｎｉｔ、略してＣＰＵ）のみを含んでよく、または、ＧＰＵとデジタル信号プロセッサ（ｄｉｇｉｔａｌ  ｓｉｇｎａｌ  ｐｒｏｃｅｓｓｏｒ、略してＤＳＰ）と送受信モジュールの制御チップ（ベースバンドチップなど）との組み合わせであってよい。本出願の本実装では、ＣＰＵは、シングルオペレーションのコアまたはマルチオペレーションのコアであってよい。
【０１０８】
送受信機７０１は、通信チャネルを確立するよう構成される。それにより、端末基地局は、通信チャネルを使用することによって受信端末に接続されて、基地局と端末との間のデータ伝送が実装される。送受信機は、無線ローカルエリアネットワーク（ｗｉｒｅｌｅｓｓ  ｌｏｃａｌ  ａｒｅａ  ｎｅｔｗｏｒｋ、略してＷＬＡＮ）モジュール、Ｂｌｕｅｔｏｏｔｈ（登録商標）モジュール、またはベースバンド（ｂａｓｅ  ｂａｎｄ）モジュールなどの通信モジュールと、当該通信モジュールに対応する無線周波数（ｒａｄｉｏ  ｆｒｅｑｕｅｎｃｙ、略してＲＦ）回路とを含んでよく、無線ローカルエリアネットワーク通信、Ｂｌｕｅｔｏｏｔｈ（登録商標）通信、赤外線通信、かつ／または、例えば、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、略してＷＣＤＭＡ（登録商標））および／もしくは高速ダウンリンクパケットアクセス（ｈｉｇｈ  ｓｐｅｅｄ  ｄｏｗｎｌｉｎｋ  ｐａｃｋｅｔ  ａｃｃｅｓｓ、略してＨＳＤＰＡ）といったセルラ通信システム通信を行うよう構成される。送受信機モジュールは、端末のコンポーネントの通信を制御するよう構成され、ダイレクトメモリアクセス（ｄｉｒｅｃｔ  ｍｅｍｏｒｙ  ａｃｃｅｓｓ）をサポートすることができる。
【０１０９】
本出願のこの実施形態では、送受信機７０１によって実装される機能は、基地局の送受信ユニットによって実装されてよく、または、プロセッサ７０２が送受信ユニットを制御することによって実装されてよい。プロセッサ７０２によって実装される機能が、処理ユニット５０２によって実装されてよい。
【０１１０】
図８を参照すると、図８は、本出願に係る端末のネットワーク側の一実施形態の概略構造図である。当該端末は、上述の実施形態のいずれかのネットワーク側デバイスであってよく、上述の実施形態の方法の段階を行うよう構成される。
【０１１１】
端末は、送受信機８０１とプロセッサ８０２と通信バス８０３とメモリ８０４とを備えてよい。送受信機８０１は、少なくとも１つの通信インタフェースおよび／またはＩ／Ｏインタフェースを有する。
【０１１２】
送受信機８０１は、基地局が送信した上位層シグナリングおよびＤＣＩを受信し、フィードバック情報、例えばＡＣＫ／ＮＡＣＫメッセージ、を基地局に送信するよう構成されてよい。送受信機は、データを基地局または別のネットワーク側デバイスに送信するよう、プロセッサによって制御されてよい。
【０１１３】
プロセッサ８０２は、端末の制御中心であり、様々なインタフェースおよび配線を使用することによってネットワーク側デバイス全体の様々な部分に接続され、メモリに記憶されたソフトウェアプログラムおよび／またはモジュールを動作させ、または実行し、メモリに記憶されたデータを呼び出す。そうして、端末の様々な機能が行われ、かつ／または、データが処理される。プロセッサは、中央演算処理装置（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）、またはＣＰＵとＮＰとの組み合わせであってよい。プロセッサは、ハードウェアチップをさらに有してよい。ハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、プログラマブルロジックデバイス（ｐｒｏｇｒａｍｍａｂｌｅ  ｌｏｇｉｃ  ｄｅｖｉｃｅ、ＰＬＤ）、またはそれらの組み合わせであってよい。ＰＬＤは、コンプレックスプログラマブルロジックデバイス（ｃｏｍｐｌｅｘ  ｐｒｏｇｒａｍｍａｂｌｅ  ｌｏｇｉｃ  ｄｅｖｉｃ、ＣＰＬＤ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、ジェネリックアレイロジック（ｇｅｎｅｒｉｃ  ａｒｒａｙ  ｌｏｇｉｃ、ＧＡＬ）、またはそれらの任意の組み合わせであってよい。
【０１１４】
メモリ８０４は、取得した上位層シグナリングおよびＤＣＩ情報を記憶するよう構成される。メモリは、例えばランダムアクセスメモリ（ｒａｎｄｏｍ  ａｃｃｅｓｓ  ｍｅｍｏｒｙ、ＲＡＭ）といった揮発性メモリ（ｖｏｌａｔｉｌｅ  ｍｅｍｏｒｙ）を含んでよく、または、例えばフラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、もしくはソリッドステートドライブ（ｓｏｌｉｄ−ｓｔａｔｅ  ｄｒｉｖｅ、ＳＳＤ）といった不揮発性メモリ（ｎｏｎ−ｖｏｌａｔｉｌｅ  ｍｅｍｏｒｙ）を含んでよい。メモリは、上述のタイプのメモリの組み合わせをさらに含んでよい。メモリは、プログラムまたはコードを記憶してよい。ネットワークエレメントのプロセッサは、当該プログラムまたはコードを実行することによってネットワークエレメントの機能を実装してよい。
【０１１５】
本出願の一実施形態は、上述の実施形態において提供された伝送タイミング情報送信方法および伝送タイミング情報受信方法が使用するためのコンピュータソフトウェア命令を記憶するよう構成されるコンピュータ記憶媒体を提供する。当該コンピュータソフトウェア命令は、上述の方法の実施形態を実行するよう設計されるプログラムを有する。記憶されたプログラムが実行されて、伝送タイミング情報が送受信される。
【０１１６】
当業者であれば、本発明の実施形態が方法、装置（デバイス）、またはコンピュータプログラム製品として提供されてよいことを理解するであろう。したがって、本発明は、ハードウェアだけの実施形態、ソフトウェアだけの実施形態、または、ソフトウェアとハードウェアとの組み合わせによる実施形態の形で使用されてよい。さらに、本発明は、コンピュータ利用可能プログラムコードを有する１または複数のコンピュータ利用可能記憶媒体（限定されないが、磁気ディスクメモリ、ＣＤ−ＲＯＭ、および光メモリ等を含む）において実装されるコンピュータプログラム製品の形を使用してよい。コンピュータプログラムは、適切な媒体に記憶／分散され、他のハードウェアに提供されるか、もしくはハードウェアの一部として使用され、または、インターネットもしくは別の有線もしくは無線の遠隔通信システムを使用することなどによって、別の形で分散されてよい。
【０１１７】
本明細書内の実施形態間の同じまたは同様の部分については、相互引用が行われる。特に、デバイスの実施形態は本質的に方法の実施形態と同様なので、簡潔に説明されており、関連部分については方法の実施形態の説明を参照されたい。
【０１１８】
上述の説明は、本出願の実装例であって、本出願の保護範囲を限定することを意図したものではない。
【図１】
2019533391.tif 000003
【図２】
2019533391.tif 000004
【図３】
2019533391.tif 000005
【図４】
2019533391.tif 000006
【図５】
2019533391.tif 000007
【図６】
2019533391.tif 000008
【図７】
2019533391.tif 000009
【図８】
2019533391.tif 000010
【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
伝送タイミング情報送信方法であって、
基地局が上位層シグナリングを構成する段階であって、前記上位層シグナリングは、伝送タイミング値を示すために使用される少なくとも１つの伝送タイミングセットを有し、前記少なくとも１つの伝送タイミングセットの各々は、少なくとも１つの伝送タイミング値を含み、前記少なくとも１つの伝送タイミングセットは、サブキャリア幅、ＴＤＤ方式、および端末機能のうちの少なくとも１つの因子に関連している、段階と、
前記基地局が前記上位層シグナリングを端末に送信する段階と、
前記基地局がダウンリンク制御情報（ＤＣＩ）を決定する段階であって、前記ＤＣＩは、前記少なくとも１つの伝送タイミングセットの中から伝送タイミング値を決定するよう前記端末に命令するために使用され、決定された前記伝送タイミング値は、前記端末が使用するよう命令される、フィードバック情報を送信するときに使用するスロットである、段階と、
前記基地局が前記ＤＣＩを前記端末に送信する段階と
を備える
方法。
【請求項２】
前記ＤＣＩが前記少なくとも１つの伝送タイミングセットの中から伝送タイミング値を決定するよう前記端末に命令するために使用されることは、前記ＤＣＩのＤＣＩフォーマットが第１の情報フィールドを含み、伝送タイミングセットにおける伝送タイミング値が、前記第１の情報フィールドに基づいて示されることを含み、
前記少なくとも１つの伝送タイミングセットが少なくとも２つの伝送タイミングセットである場合、前記ＤＣＩが前記少なくとも１つの伝送タイミングセットの中から伝送タイミング値を決定するよう前記端末に命令するために使用されることは、
前記少なくとも１つの伝送タイミングセットのうちの１つが前記ＤＣＩの前記ＤＣＩフォーマットに基づいて決定され、前記ＤＣＩフォーマットが第１の情報フィールドを含み、前記第１の情報フィールドが、紐付け関係を有する、決定された前記伝送タイミングセットにおける伝送タイミング値を示すために使用されること、または、
前記ＤＣＩによって占有される制御チャネル時間周波数リソースにおいて送信が実行され、前記少なくとも２つの伝送タイミングセットのうちの少なくとも１つが前記制御チャネル時間周波数リソースに基づいて決定されること
をさらに含む、
請求項１に記載の方法。
【請求項３】
前記ＤＣＩが前記少なくとも１つの伝送タイミングセットの中から伝送タイミング値を決定するよう前記端末に命令するために使用されることは、前記ＤＣＩのＤＣＩフォーマットが第１の情報フィールドを含み、伝送タイミングセットにおける伝送タイミング値が、前記第１の情報フィールドに基づいて示されることを含み、
前記少なくとも１つの伝送タイミングセットが少なくとも２つの伝送タイミングセットである場合、前記ＤＣＩが前記少なくとも１つの伝送タイミングセットの中から伝送タイミング値を決定するよう前記端末に命令するために使用されることは、
前記ＤＣＩの前記ＤＣＩフォーマットが第２の情報フィールドをさらに含み、前記少なくとも１つの伝送タイミングセットのうちの１つが、前記第２の情報フィールドに基づいて決定されることをさらに含む、
請求項１に記載の方法。
【請求項４】
前記少なくとも１つの伝送タイミングセットは第１のサブキャリアセットを含み、前記第１のサブキャリアセットにおける伝送タイミング値は、サブキャリア幅によって決まる、
請求項１に記載の方法。
【請求項５】
前記少なくとも１つの伝送タイミングセットは、第１のサブキャリアセットおよび第２のサブキャリアセットを含み、前記第１のサブキャリアセットにおける伝送タイミング値は、第１のサブキャリア幅に基づいて決定され、前記第２のサブキャリアセットにおける伝送タイミング値は、第２のサブキャリア幅に基づいて決定され、前記第１のサブキャリアセットにおける前記伝送タイミング値のうちの少なくとも１つは、前記第２のサブキャリアセットにおける前記伝送タイミング値とは異なる、
請求項１に記載の方法。
【請求項６】
前記ＤＣＩを前記端末に送信する前記段階は、
前記基地局が一次制御チャネルを介して前記ＤＣＩを前記端末に送信する段階、または
前記基地局が一次制御チャネルおよび二次制御チャネルを介して前記ＤＣＩを前記端末に送信する段階であって、前記ＤＣＩは前記二次制御チャネルに配置される、段階を有する、
請求項１から５のいずれか一項に記載の方法。
【請求項７】
前記伝送タイミング値は、
前記基地局によるダウンリンクデータの前記端末への送信と、前記基地局による、前記端末が送信したアップリンク送達確認情報の受信との間隔に関する情報、または、
前記基地局によるアップリンクスケジューリング情報の前記端末への送信と、前記端末によるアップリンクデータの送信との間隔に関する情報
のうちの１または複数であり、前記間隔に関する前記情報は、スロット数を含む、
請求項１から５のいずれか一項に記載の方法。
【請求項８】
伝送タイミング情報受信方法であって、
端末が基地局から上位層シグナリングおよびダウンリンク制御情報（ＤＣＩ）を受信する段階であって、前記上位層シグナリングは、伝送タイミング値を示すために使用される少なくとも１つの伝送タイミングセットを有し、前記少なくとも１つの伝送タイミングセットの各々は、少なくとも１つの伝送タイミング値を含み、前記ＤＣＩは、前記少なくとも１つの伝送タイミングセットの中から伝送タイミング値を決定するよう前記端末に命令するために使用され、前記少なくとも１つの伝送タイミングセットは、サブキャリア幅、ＴＤＤ方式、および端末機能のうちの少なくとも１つの因子に関連している、段階と、
前記ＤＣＩに基づいて前記少なくとも１つの伝送タイミングセットの中から前記伝送タイミング値を決定し、決定された前記伝送タイミング値に対応するスロットにおいてフィードバック情報を送信する段階と
を備える
方法。
【請求項９】
前記ＤＣＩに基づいて前記少なくとも１つの伝送タイミングセットの中から前記伝送タイミング値を決定する前記段階は、
前記端末が、前記ＤＣＩのフォーマットに基づいて前記少なくとも１つの伝送タイミングセットのうちの１つを決定する段階と、
前記ＤＣＩに含まれる情報フィールドにおいて搬送される指示情報に基づいて、決定された前記伝送タイミングセットの中から前記伝送タイミング値を決定する段階と
を有する、
請求項８に記載の方法。
【請求項１０】
前記端末が一次制御チャネルおよび二次制御チャネルを介して前記ＤＣＩを取得する場合、前記ＤＣＩに基づいて前記少なくとも１つの伝送タイミングセットの中から前記伝送タイミング値を決定する前記段階は、
前記端末が前記一次制御チャネルからリソーススケジューリング指示情報を取得する段階と、
前記リソーススケジューリング指示情報に基づいて前記二次制御チャネルの時間周波数リソース位置を決定する段階と、
前記二次制御チャネルの前記時間周波数リソース位置において搬送される前記ＤＣＩに基づいて前記少なくとも１つの伝送タイミングセットの中から前記伝送タイミング値を決定する段階とを有する、
請求項８または９に記載の方法。
【請求項１１】
基地局であって、
上位層シグナリングを構成するよう構成される処理ユニットであって、前記上位層シグナリングは、伝送タイミング値を示すために使用される少なくとも１つの伝送タイミングセットを有し、前記少なくとも１つの伝送タイミングセットの各々は、少なくとも１つの伝送タイミング値を含み、前記少なくとも１つの伝送タイミングセットは、サブキャリア幅、ＴＤＤ方式、および端末機能のうちの少なくとも１つの因子に関連している、処理ユニットと、
前記上位層シグナリングを端末に送信するよう構成される送受信ユニットであって、前記処理ユニットはさらに、ダウンリンク制御情報（ＤＣＩ）を決定するよう構成され、前記ＤＣＩは、前記少なくとも１つの伝送タイミングセットの中から伝送タイミング値を決定するよう前記端末に命令するために使用され、決定された前記伝送タイミング値は、前記端末が使用するよう命令される、フィードバック情報を送信するときに使用するスロットである、送受信ユニットと、
備え、
前記送受信ユニットはさらに、前記ＤＣＩを前記端末に送信するよう構成される、
基地局。
【請求項１２】
前記ＤＣＩのＤＣＩフォーマットは第１の情報フィールドを含み、
前記処理ユニットはさらに、前記第１の情報フィールドに基づいて伝送タイミングセットにおける伝送タイミング値を示すよう構成され、前記少なくとも１つの伝送タイミングセットが少なくとも２つの伝送タイミングセットである場合、前記ＤＣＩは、前記少なくとも１つの伝送タイミングセットの中から前記伝送タイミング値を決定するよう前記端末に命令するために使用され、
前記処理ユニットはさらに、前記ＤＣＩの前記ＤＣＩフォーマットに基づいて前記少なくとも１つの伝送タイミングセットのうちの１つを決定することであって、前記第１の情報フィールドは、紐付け関係を有する、決定された前記伝送タイミングセットにおける伝送タイミング値を示すために使用される、決定すること、または、前記ＤＣＩによって占有される制御チャネル時間周波数リソースにおいて送信を行い、前記制御チャネル時間周波数リソースに基づいて前記少なくとも２つの伝送タイミングセットのうちの少なくとも１つを決定すること、を行うよう構成される、
請求項１１に記載の基地局。
【請求項１３】
前記ＤＣＩのＤＣＩフォーマットは第１の情報フィールドを含み、
前記処理ユニットはさらに、前記第１の情報フィールドに基づいて伝送タイミングセットにおける伝送タイミング値を示すよう構成され、前記少なくとも１つの伝送タイミングセットが少なくとも２つの伝送タイミングセットである場合、前記ＤＣＩは、前記少なくとも１つの伝送タイミングセットの中から前記伝送タイミング値を決定するよう前記端末に命令するために使用され、
前記処理ユニットはさらに、前記ＤＣＩの前記ＤＣＩフォーマットが第２の情報フィールドをさらに含むとき、前記第２の情報フィールドに基づいて前記少なくとも１つの伝送タイミングセットのうちの１つを決定するよう構成される、
請求項１１に記載の基地局。
【請求項１４】
前記少なくとも１つの伝送タイミングセットは第１のサブキャリアセットを含み、前記第１のサブキャリアセットにおける伝送タイミング値は、サブキャリア幅によって決まる、
請求項１１に記載の基地局。
【請求項１５】
前記少なくとも１つの伝送タイミングセットは、第１のサブキャリアセットおよび第２のサブキャリアセットを含み、前記第１のサブキャリアセットにおける伝送タイミング値は、第１のサブキャリア幅に基づいて決定され、前記第２のサブキャリアセットにおける伝送タイミング値は、第２のサブキャリア幅に基づいて決定され、前記第１のサブキャリアセットにおける前記伝送タイミング値のうちの少なくとも１つは、前記第２のサブキャリアセットにおける前記伝送タイミング値とは異なる、
請求項１１に記載の基地局。
【請求項１６】
前記送受信ユニットは具体的に、一次制御チャネルを介して前記ＤＣＩを前記端末に送信するか、または、一次制御チャネルおよび二次制御チャネルを介して、前記二次制御チャネルに配置される前記ＤＣＩを前記端末に送信するよう構成される、
請求項１１から１５のいずれか一項に記載の基地局。
【請求項１７】
前記伝送タイミング値は、
前記基地局によるダウンリンクデータの前記端末への送信と、前記基地局による、前記端末が送信したアップリンク送達確認情報の受信との間隔に関する情報、または、
前記基地局による、アップリンクスケジューリング情報の前記端末への送信と、前記端末によるアップリンクデータの送信との間隔に関する情報
のうちの１または複数であり、前記間隔に関する前記情報は、スロット数を含む、
請求項１１から１５のいずれか一項に記載の基地局。
【請求項１８】
端末であって、
上位層シグナリングおよびダウンリンク制御情報（ＤＣＩ）を受信するよう構成される送受信ユニットであって、前記上位層シグナリングは、伝送タイミング値を示すために使用される少なくとも１つの伝送タイミングセットを有し、前記少なくとも１つの伝送タイミングセットの各々は少なくとも１つの伝送タイミング値を含み、前記ＤＣＩは、前記少なくとも１つの伝送タイミングセットの中から伝送タイミング値を決定するよう前記端末に命令するために使用され、前記少なくとも１つの伝送タイミングセットは、サブキャリア幅、ＴＤＤ方式、および端末機能のうちの少なくとも１つの因子に関連している、送受信ユニットと、
前記ＤＣＩに基づいて前記少なくとも１つの伝送タイミングセットの中から前記伝送タイミング値を決定するよう構成される処理ユニットと
を備え、
前記送受信ユニットはさらに、決定された前記伝送タイミング値に対応するスロットにおいてフィードバック情報を送信するよう構成される、
端末。
【請求項１９】
前記処理ユニットは具体的に、前記ＤＣＩのフォーマットに基づいて前記少なくとも１つの伝送タイミングセットのうちの１つを決定し、前記ＤＣＩに含まれる情報フィールドにおいて搬送される指示情報に基づいて、決定された前記伝送タイミングセットの中から前記伝送タイミング値を決定するよう構成される、
請求項１８に記載の端末。
【請求項２０】
前記端末が一次制御チャネルおよび二次制御チャネルを介して前記ＤＣＩを取得する場合、前記処理ユニットは具体的に、
前記一次制御チャネルからリソーススケジューリング指示情報を取得し、
前記リソーススケジューリング指示情報に基づいて前記二次制御チャネルの時間周波数リソース位置を決定し、
前記二次制御チャネルの前記時間周波数リソース位置において搬送される前記ＤＣＩに基づいて、前記少なくとも１つの伝送タイミングセットの中から前記伝送タイミング値を決定する
よう構成される、
請求項１８または１９に記載の端末。
【請求項２１】
プロセッサと、前記プロセッサによる実行のための命令を記憶する記憶媒体とを備える装置であって、前記命令が実行されると、前記プロセッサは、請求項１から１０のいずれか一項に記載の方法の前記段階を実行するよう構成される、
装置。
【請求項２２】
コンピュータプログラムコードを含むコンピュータプログラムであって、前記コンピュータプログラムコードが通信デバイスのプロセッサにおいて実行されると、請求項１から１０のいずれか一項に記載の方法の前記段階を前記通信デバイスに実行させる、
コンピュータプログラム。
【手続補正２】
【補正対象書類名】明細書
【補正対象項目名】全文
【補正方法】変更
【補正の内容】
【発明の詳細な説明】
【技術分野】
【０００１】
本出願は、２０１６年１１月３日に国家知識産権局に出願された「伝送タイミング情報送信方法、伝送タイミング情報受信方法、および装置」と題する中国特許出願第２０１６１０９５６６２９．２号および２０１７年２月１０日に国家知識産権局に出願された「伝送タイミング情報送信方法、伝送タイミング情報受信方法、および装置」と題する中国特許出願第２０１７１００７４４７３．Ｘ号に基づく優先権を主張し、両出願はその全体が参照によって本明細書に組み込まれる。
【０００２】
本発明は通信技術分野に関し、具体的には、伝送タイミング情報送信方法、伝送タイミング情報受信方法、および装置に関する。
【背景技術】
【０００３】
既存のシステム（例えば、ＬＴＥシステム）では、基地局とユーザ機器は、ＦＤＤ（ｆｒｅｑｕｅｎｃｙ  ｄｉｖｉｓｉｏｎ  ｄｕｐｌｅｘ、周波数分割複信）またはＴＤＤ（ｔｉｍｅ  ｄｉｖｉｓｉｏｎ  ｄｕｐｌｅｘ、時分割複信）によって互いにデータおよび情報を交換する。基地局と端末との間での通信中に使用される伝送タイミング関係は、基地局および端末によって予め規定され取得されている。伝送タイミングは、基地局によるダウンリンクデータの送信と、端末によるアップリンク送達確認フィードバック情報の送信との間の間隔であってよく、例えばハイブリッド自動再送要求（ｈｙｂｒｉｄ  ａｕｔｏｍａｔｉｃ  ｒｅｐｅａｔ  ｒｅｑｕｅｓｔ、ＨＡＲＱ）タイミングであり、または、基地局によるアップリンクスケジューリング指示情報の送信と端末によるアップリンクデータの送信との間の間隔であってよい。例えば、ＦＤＤベースの伝送中、基地局はサブフレームｎにおいてダウンリンクデータを送信し、端末はサブフレームｎ＋４においてデータパケットのＡＣＫ／ＮＡＣＫ（肯定応答／否定応答）情報をフィードバックするので、伝送タイミング情報またはＨＡＲＱタイミング情報は４サブフレームである。
【０００４】
同様に、ＴＤＤベースの伝送中、基地局が送信したデータパケットの最初のサブフレームがｎであるとき、端末はサブフレームｎ＋４においてＡＣＫ／ＮＡＣＫ情報をフィードバックするということが通常は指定される。無線フレームにおけるアップリンクサブフレームおよびダウンリンクサブフレームの構成（単にアップリンクダウンリンクサブフレーム構成と称される）は様々なので、常にサブフレームｎ＋４において情報をフィードバックするということは困難である。したがって、規格によって、指定されたアップリンクダウンリンクサブフレーム構成のＨＡＲＱタイミング情報が予め規定される。
【０００５】
次世代無線通信システムでは、サポートされるサービスのタイプおよび適用シナリオが多様化する。加えて、動的ＴＤＤの場合、無線フレームにおけるアップリンクサブフレームタイプおよびダウンリンクサブフレームタイプは動的に変化する。そのため、伝送タイミング関係の数が増加する。予め規定された方式を使用するとシステムの自由度が低くなり、その場合、次世代システムの設計要件を満たすことができない。伝送タイミングを示すべく、ＤＣＩ（ｄｏｗｎｌｉｎｋ  ｃｏｎｔｒｏｌ  ｉｎｆｏｒｍａｔｉｏｎ、ダウンリンク制御情報）を使用した場合、全ての考えられるタイミング関係を含めるよう、比較的長い情報ビットがＤＣＩにおいて予め規定される必要がある。そうすると、制御シグナリングオーバーヘッドが大きくなる。
【発明の概要】
【０００６】
本出願は、伝送タイミングリソース構成の自由度を高め、ダウンリンク制御情報のオーバーヘッドを低減するための、伝送タイミング情報送信方法と伝送タイミング情報受信方法と装置とを提供する。さらに、本出願は、以下の技術的解決手段を開示する。
【０００７】
第１態様においては伝送タイミング情報送信方法が提供される。当該方法は、基地局が上位層シグナリングを構成する段階であって、上位層シグナリングは、伝送タイミング値を示すために使用される少なくとも１つの伝送タイミングセットを有し、少なくとも１つの伝送タイミングセットの各々は、少なくとも１つの伝送タイミング値を含み、少なくとも１つの伝送タイミングセットは、サブキャリア幅、ＴＤＤ方式、および端末機能のうちの少なくとも１つの因子に関連している、段階と、基地局が上位層シグナリングを端末に送信する段階と、基地局がダウンリンク制御情報（ＤＣＩ）を決定する段階であって、ＤＣＩは、少なくとも１つの伝送タイミングセットの中から伝送タイミング値を決定するよう端末に命令するために使用され、決定された伝送タイミング値は、端末が使用するよう命令される、フィードバック情報を送信するときに使用するスロットである、段階と、基地局がＤＣＩを端末に送信する段階とを備える。
【０００８】
本態様の、上位層シグナリングとダウンリンク制御情報（ＤＣＩ）とを併用することによって伝送タイミングを示すための方法によると、少なくとも１つの伝送タイミング値セットは、事前に上位層シグナリングにおいて構成され、ＤＣＩは、当該セットの中から特定の伝送タイミング値を選択するよう命令するために使用される。各伝送タイミングセットの値要素は、システムの現在のサービス状況およびサブフレーム構成などの因子に基づいて決定されるので、端末が、少なくとも１つの伝送タイミングセットを有する上位層シグナリングを受信する場合、基地局は、端末の伝送タイミング値の指示を保持するためだけにＤＣＩを使用すればよい。そうすることで、比較的長い情報ビットの保持が回避され、制御情報オーバーヘッドが低減される。
【０００９】
加えて、少なくとも１つの伝送タイミング値が、各伝送タイミングセットにおいて構成される。これにより、基地局による伝送タイミング値選択の多様性がさらに増し、伝送タイミング構成の自由度が向上する。
【００１０】
第１態様に関連して、第１態様の第１の実装例において、ＤＣＩが、少なくとも１つの伝送タイミングセットの中から伝送タイミング値を決定するよう端末に命令するために使用されることは、ＤＣＩのＤＣＩフォーマットが第１の情報フィールドを含むことと、伝送タイミングセットにおける伝送タイミング値が第１の情報フィールドに基づいて示されることとを含む。少なくとも１つの伝送タイミングセットが少なくとも２つの伝送タイミングセットである場合、ＤＣＩが、少なくとも１つの伝送タイミングセットの中から伝送タイミング値を決定するよう端末に命令するために使用されることは、当該少なくとも１つの伝送タイミングセットのうちの１つが、ＤＣＩのＤＣＩフォーマットに基づいて決定され、ＤＣＩフォーマットが第１の情報フィールドを含み、第１の情報フィールドは、紐付け関係を有するセットにおける伝送タイミング値を示すために使用されること、または、ＤＣＩによって占有される制御チャネル時間周波数リソースにおいて送信が行われ、少なくとも２つの伝送タイミングセットのうちの少なくとも１つが制御チャネル時間周波数リソースに基づいて決定されること、をさらに含む。
【００１１】
第１態様に関連して、第１態様の第２の実装例において、ＤＣＩが、少なくとも１つの伝送タイミングセットにおける伝送タイミング値を決定するよう端末に命令するために使用されることは、ＤＣＩのＤＣＩフォーマットが第１の情報フィールドを含み、伝送タイミングセットにおける伝送タイミング値が第１の情報フィールドに基づいて示されることを含む。少なくとも１つの伝送タイミングセットが少なくとも２つの伝送タイミングセットである場合、ＤＣＩが、少なくとも１つの伝送タイミングセットにおける伝送タイミング値を決定するよう端末に命令するために使用されることは、ＤＣＩのＤＣＩフォーマットが第２の情報フィールドをさらに含み、少なくとも１つの伝送タイミングセットのうちの１つが、第２の情報フィールドに基づいて決定されることをさらに含む。
【００１２】
第１態様に関連して、第１態様の第３の実装例において、少なくとも１つの伝送タイミングセットは第１のサブキャリアセットを含み、第１のサブキャリアセットにおける伝送タイミング値は、サブキャリア幅によって決まる。サブキャリア幅が変化すると、それに応じて第１のサブキャリアセットにおける対応する伝送タイミング値が変化する。
【００１３】
第１態様に関連して、第１態様の第４の実装例において、少なくとも１つの伝送タイミングセットは、第１のサブキャリアセットおよび第２のサブキャリアセットを含み、第１のサブキャリアセットにおける伝送タイミング値は、第１のサブキャリア幅に基づいて決定され、第２のサブキャリアセットにおける伝送タイミング値は、第２のサブキャリア幅に基づいて決定され、第１のサブキャリアセットにおける伝送タイミング値のうちの少なくとも１つは、第２のサブキャリアセットにおける伝送タイミング値とは異なる。
【００１４】
第１態様、または第１態様の第１から第３の実装例のいずれか１つに関連して、第１態様の第４の実装例において、ＤＣＩを端末に送信する段階は、基地局が一次制御チャネルを介してＤＣＩを端末に送信する段階、または、基地局が一次制御チャネルおよび二次制御チャネルを介してＤＣＩを端末に送信する段階であって、ＤＣＩは二次制御チャネルに配置される、段階を有する。
【００１５】
第１態様、または第１態様の第１から第３の実装例のいずれか１つに関連して、第１態様の第５の実装例において、伝送タイミング値とは、基地局による端末へのダウンリンクデータの送信と、基地局による、端末が送信したアップリンク送達確認情報の受信との間隔に関する情報、または、基地局による端末へのアップリンクスケジューリング情報の送信と、端末によるアップリンクデータの送信との間隔に関する情報のうちの１または複数であり、間隔に関する情報は、スロット数を含む。
【００１６】
第２態様においては、伝送タイミング情報受信方法が提供される。当該方法は、端末が基地局から上位層シグナリングとダウンリンク制御情報（ＤＣＩ）とを受信する段階であって、上位層シグナリングは、伝送タイミング値を示すために使用される少なくとも１つの伝送タイミングセットを有し、少なくとも１つの伝送タイミングセットの各々は少なくとも１つの伝送タイミング値を含み、ＤＣＩは、少なくとも１つの伝送タイミングセットの中から伝送タイミング値を決定するよう端末に命令するために使用され、少なくとも１つの伝送タイミングセットは、サブキャリア幅、ＴＤＤ方式、および端末機能のうちの少なくとも１つの因子に関連している、段階と、ＤＣＩに基づいて少なくとも１つの伝送タイミングセットの中から伝送タイミング値を決定する段階と、決定された伝送タイミング値に対応するスロットにおいてフィードバック情報を送信する段階とを備える。
【００１７】
第２態様に関連して、第２態様の第１の実装例において、ＤＣＩに基づいて少なくとも１つの伝送タイミングセットの中から伝送タイミング値を決定する段階は、端末がＤＣＩのフォーマットに基づいて少なくとも１つの伝送タイミングセットのうちの１つを決定する段階と、ＤＣＩに含まれる情報フィールドにおいて搬送される指示情報に基づいて、決定された伝送タイミングセットの中から伝送タイミング値を決定する段階とを有する。
【００１８】
第２態様に関連して、第２態様の第２の実装例において、端末が一次制御チャネルおよび二次制御チャネルを介してＤＣＩを取得する場合、ＤＣＩに基づいて少なくとも１つの伝送タイミングセットの中から伝送タイミング値を決定する段階は、端末が一次制御チャネルからリソーススケジューリング指示情報を取得する段階と、リソーススケジューリング指示情報に基づいて二次制御チャネルの時間周波数リソース位置を決定する段階と、二次制御チャネルの時間周波数リソース位置において搬送されるＤＣＩに基づいて少なくとも１つの伝送タイミングセットの中から伝送タイミング値を決定する段階とを有する。
【００１９】
第３態様においては、基地局がさらに提供される。基地局は、上位層シグナリングを構成するよう構成される処理ユニットであって、上位層シグナリングは、伝送タイミング値を示すために使用される少なくとも１つの伝送タイミングセットを有し、少なくとも１つの伝送タイミングセットの各々は少なくとも１つの伝送タイミング値を含み、少なくとも１つの伝送タイミングセットは、サブキャリア幅、ＴＤＤ方式、および端末機能のうちの少なくとも１つの因子に関連している、処理ユニットと、上位層シグナリングを端末に送信するよう構成される送受信ユニットとを備える。処理ユニットはさらに、ダウンリンク制御情報（ＤＣＩ）を決定するよう構成され、ＤＣＩは、少なくとも１つの伝送タイミングセットの中から伝送タイミング値を決定するよう端末に命令するために使用され、決定された伝送タイミング値は、端末が使用するよう命令される、フィードバック情報を送信するときに使用するスロットであり、送受信ユニットはさらに、ＤＣＩを端末に送信するよう構成される。加えて、基地局はさらに、第１態様の第１から第５の実装例のいずれか１つの実装例の方法の段階の全部または一部を実装するよう構成される。
【００２０】
第４態様においては、端末がさらに提供される。端末は、上位層シグナリングおよびダウンリンク制御情報（ＤＣＩ）を受信するよう構成される送受信ユニットであって、上位層シグナリングは、伝送タイミング値を示すために使用される少なくとも１つの伝送タイミングセットを有し、少なくとも１つの伝送タイミングセットの各々は少なくとも１つの伝送タイミング値を含み、ＤＣＩは、少なくとも１つの伝送タイミングセットの中から伝送タイミング値を決定するよう端末に命令するために使用され、少なくとも１つの伝送タイミングセットは、サブキャリア幅、ＴＤＤ方式、および端末機能のうちの少なくとも１つの因子に関連している、送受信ユニットと、ＤＣＩに基づいて少なくとも１つの伝送タイミングセットの中から伝送タイミング値を決定するよう構成される処理ユニットとを備える。送受信ユニットはさらに、決定された伝送タイミング値に対応するスロットにおいてフィードバック情報を送信するよう構成される。加えて、端末はさらに、第２態様の第１または第２の実装例の方法の段階の全部または一部を実装するよう構成される。
【００２１】
第５態様においては、伝送タイミング情報送信システムがさらに提供される。当該システムは、基地局と少なくとも１つの端末とを備え、基地局は、上位層シグナリングを構成し、上位層シグナリングを端末に送信するよう構成され、上位層シグナリングは、伝送タイミング値を示すために使用される少なくとも１つの伝送タイミングセットを有し、少なくとも１つの伝送タイミングセットの各々は少なくとも１つの伝送タイミング値を含み、少なくとも１つの伝送タイミングセットは、サブキャリア幅、ＴＤＤ方式、および端末機能のうちの少なくとも１つの因子に関連しており、基地局はさらに、ダウンリンク制御情報（ＤＣＩ）を決定し、ＤＣＩを端末に送信するよう構成され、ＤＣＩは、少なくとも１つの伝送タイミングセットの中から伝送タイミング値を決定するよう端末に命令するために使用され、決定された伝送タイミング値は、端末が使用するよう命令される、フィードバック情報を送信するときに使用するスロットであり、端末は、基地局から上位層シグナリングとダウンリンク制御情報（ＤＣＩ）とを受信し、ＤＣＩに基づいて少なくとも１つの伝送タイミングセットの中から伝送タイミング値を決定し、決定された伝送タイミング値に対応するスロットにおいてフィードバック情報を送信するよう構成される。
【００２２】
第６態様においては、コンピュータ記憶媒体がさらに提供される。コンピュータ記憶媒体はプログラムを記憶することができ、プログラムは、本発明において提供される伝送タイミング情報送信方法および伝送タイミング情報受信方法の実装例の段階の一部または全部を実行してよい。
【図面の簡単な説明】
【００２３】
本出願の実施形態における技術的解決手段をより明確に説明するべく、実施形態の説明に必要な添付図面を以下で簡潔に説明する。
【００２４】
【図１】本出願の一実施形態に係る伝送タイミング情報送信方法の概略フローチャートである。
【００２５】
【図２】本出願の一実施形態に係る、一次制御チャネルおよび二次制御チャネルの時間周波数リソース位置の概略構造図である。
【００２６】
【図３】本出願の一実施形態に係る伝送タイミング情報受信方法の概略フローチャートである。
【００２７】
【図４】本出願の一実施形態に係る、異なるサービスタイプに基づいて異なる伝送タイミングを示すことについての概略図である。
【００２８】
【図５】本出願の一実施形態に係る基地局の概略構造図である。
【００２９】
【図６】本出願の一実施形態に係る端末の概略構造図である。
【００３０】
【図７】本出願の一実施形態に係る基地局のハードウェア構造の他の概略図である。
【００３１】
【図８】本出願の一実施形態に係る端末のハードウェア構造の他の概略図である。
【発明を実施するための形態】
【００３２】
以下の説明を容易にし、本出願を明確に説明するべく、以下ではまず、本出願において使用される可能性のある概念を簡潔に説明する。
【００３３】
本出願の実施形態の通信システムは、ＬＴＥシステムまたは第５世代システムであってよい。通信システムは、少なくとも１つの端末と少なくとも１つのネットワークデバイスとを備える。
【００３４】
端末は、ユーザに情報および／またはデータの接続を提供するデバイス、無線接続機能を有するハンドヘルドデバイス、または、無線モデムに接続される別の処理デバイスであってよい。端末は、無線アクセスネットワーク（ｒａｄｉｏ  ａｃｃｅｓｓ  ｎｅｔｗｏｒｋ、ＲＡＮ）を使用することによって１または複数のコアネットワークと通信してよい。端末は、携帯電話（または「セルラ」電話と称される）などのモバイル端末か、または、モバイル端末を備えたコンピュータ、例えば、音声および／またはデータを無線アクセスネットワークと交換するポータブルの、ポケットサイズの、手持ち式の、コンピュータ内蔵の、または車載のモバイル装置であってよい。例えば、端末は、パーソナル通信サービス（ｐｅｒｓｏｎａｌ  ｃｏｍｍｕｎｉｃａｔｉｏｎｓ  ｓｅｒｖｉｃｅ、ＰＣＳ）電話、コードレス電話機、セッション開始プロトコル（Ｓｅｓｓｉｏｎ  Ｉｎｉｔｉａｔｉｏｎ  Ｐｒｏｔｏｃｏｌ、ＳＩＰ）電話、無線ローカルループ（ｗｉｒｅｌｅｓｓ  ｌｏｃａｌ  ｌｏｏｐ、ＷＬＬ）局、または、パーソナルデジタルアシスタント（ｐｅｒｓｏｎａｌ  ｄｉｇｉｔａｌ  ａｓｓｉｓｔａｎｔ、ＰＤＡ）などのデバイスであってよい。端末は、システム、加入者ユニット（ｓｕｂｓｃｒｉｂｅｒ  ｕｎｉｔ、ＳＵ）、加入者局（ｓｕｂｓｃｒｉｂｅｒ  ｓｔａｔｉｏｎ、ＳＳ）、移動局（ｍｏｂｉｌｅ  ｓｔａｔｉｏｎ、ＭＳ）、リモート局（ｒｅｍｏｔｅ  ｓｔａｔｉｏｎ、ＲＳ）、アクセスポイント（ａｃｃｅｓｓ  ｐｏｉｎｔ、ＡＰ）、リモート端末（ｒｅｍｏｔｅ  ｔｅｒｍｉｎａｌ、ＲＴ）、アクセス端末（ａｃｃｅｓｓ  ｔｅｒｍｉｎａｌ、ＡＴ）、ユーザ端末（ｕｓｅｒ  ｔｅｒｍｉｎａｌ、ＵＴ）、ユーザエージェント（ｕｓｅｒ  ａｇｅｎｔ、ＵＡ）、ユーザデバイス、またはユーザ機器（ｕｓｅｒ  ｅｑｕｉｐｍｅｎｔ、ＵＥ）とも称されてよい。ネットワークデバイスは、基地局、進化型基地局、スケジューリング機能を有する中継局、または基地局機能を有するデバイス等であってよい。基地局は、ＬＴＥシステムの進化型ノードＢ（ｅｖｏｌｖｅｄ  ＮｏｄｅＢ、ｅＮＢ）であってよく、または別のシステムの基地局であってよい。このことは、本出願の実施形態において限定されない。以下は、一例として基地局を使用した説明となっている。
【００３５】
本出願の実施形態では、伝送タイミングは、端末による、基地局が送信したダウンリンクデータの受信と、端末による、基地局へのアップリンク送達確認情報のフィードバックとの間隔を示すために使用されるか、または、基地局による、端末へのアップリンクスケジューリング情報の送信と、端末によるアップリンクデータの送信との間隔を示すために使用される。伝送タイミングは、例えばＨＡＲＱタイミングである。
【００３６】
本出願の実施形態では、フィードバックされたアップリンク送達確認情報またはフィードバック情報は、肯定応答（ａｃｋｎｏｗｌｅｄｇｅｍｅｎｔ、ＡＣＫ）情報と否定応答（ｎｅｇａｔｉｖｅ  ａｃｋｎｏｗｌｅｄｇｍｅｎｔ、ＮＡＣＫ）情報とを含んでよい。基地局は、受信したＡＣＫ／ＮＡＣＫ情報に基づいてデータパケットを再伝送するか否かを判断する。基地局がＡＣＫ情報を受信した場合、基地局は、新しいデータパケットの伝送を開始する。基地局が端末によってフィードバックされたＮＡＣＫ情報を受信した場合、基地局はデータパケットの再伝送動作を開始する。
【００３７】
本出願の一実施形態は、伝送タイミング構成の自由度を向上させ、ＤＣＩ指示情報のオーバーヘッドを低減するための伝送タイミング情報送信方法を提供する。図１に示すように、当該方法は以下の段階を備える。
【００３８】
段階１０１：基地局が、上位層シグナリングを構成する。ここで、上位層シグナリングは、伝送タイミング値を示すために使用される少なくとも１つの伝送タイミングセットを有し、少なくとも１つの伝送タイミングセットの各々は少なくとも１つの伝送タイミング値を含み、少なくとも１つの伝送タイミングセットは、サブキャリア幅、ＴＤＤ方式、端末機能、およびシステムアップリンクダウンリンク構成等のうちの少なくとも１つの因子に関連している。
【００３９】
システムアップリンクダウンリンク構成は、システムにおけるスロットのスロットタイプの組み合わせ関係である。例えば、連続する１０個のスロットずつで１つのグループを構成し、グループ内の各スロットは、全てがアップリンクのスロット、全てがダウンリンクのスロット、主にアップリンクのスロット、または主にダウンリンクのスロットである。
【００４０】
ＴＤＤ方式は、半静的ＴＤＤシステムおよび動的ＴＤＤシステムを含む。半静的ＴＤＤシステムでは、各スロットのスロットタイプは、上位層シグナリングを使用することによって示されるか、または予め規定された方式で決定される。動的ＴＤＤシステムでは、各スロットのスロットタイプは、物理層シグナリングを使用することによって通知される。スロットタイプは、全てがアップリンクのスロット、全てがダウンリンクのスロット、主にアップリンクのスロット、または主にダウンリンクのスロットを含む。
【００４１】
基地局が上位層シグナリングを構成することは、具体的に、基地局が、端末機能、サブキャリア幅、ＴＤＤ方式、およびシステムアップリンクダウンリンク構成のうちの１または複数の因子に基づく異なる伝送タイミングセットを、分けることによって取得することを含む。各伝送タイミングセットは、少なくとも１つの伝送タイミング値を含む。例えば、上位層シグナリングは、第１の伝送タイミングセットおよび／または第２の伝送タイミングセットを有し、当該セットにおける各値が伝送タイミング値である。
【００４２】
第１の伝送タイミングセットにおける伝送タイミング値と第２の伝送タイミングセットにおける伝送タイミング値とは、異なるサービスに対応する異なる値、異なる端末機能に対応する異なる値、または、異なるＴＤＤ方式に対応する異なる値もしくは異なるアップリンクダウンリンクサブフレーム構成に対応する異なる値であってよい。例えば、第１の伝送タイミングセットは、データ処理機能の高い端末に対して構成され、第２の伝送タイミングセットは、データ処理機能の低い端末に対して構成されるか、または、第１の伝送タイミングセットはアップリンクダウンリンク構成に基づいて第１の構成のシステムに対して構成され、第２の伝送タイミングセットは、アップリンクダウンリンク構成に基づいて第２の構成のシステムに対して構成される。ここで、第１の構成は第２の構成とは異なり、または、システムは、半静的ＴＤＤシステム用の第１の伝送タイミングセットを構成し、また、動的ＴＤＤシステム用の第２の伝送タイミングセットを構成する。加えて、送信予定のＤＣＩが配置される時間周波数リソースに基づいて、異なる伝送タイミングセットが決定および構成されてよい。
【００４３】
伝送タイミング値は、基地局による端末へのダウンリンクデータの送信と、基地局による、端末が送信したアップリンク送達確認情報の受信との間隔に関する情報、または、基地局による端末へのアップリンクスケジューリング情報の送信と、端末によるアップリンクデータの送信との間隔に関する情報であってよい。間隔に関する情報は、スロット数を含む。例えば、基地局はサブフレームまたはスロットｎにおいてダウンリンクデータを送信し、端末は、サブフレームまたはスロットｎ＋ｋにおいてアップリンク送達確認情報を送信する。ここで、ｋの値は、上位層シグナリングにおいて構成された伝送タイミング値セットにおける値である。
【００４４】
任意で、端末が特定の状況にあるとき、少なくとも１つの伝送タイミングセットは無効になり、当該伝送タイミングセットにおける値はもはや適用可能ではなくなる。かかる特定の状況とは、例えば、セルのハンドオーバまたはＲＲＣ接続再設定であってよい。
【００４５】
任意で、伝送タイミングセットにおけるタイミング値は、少なくとも１つのデフォルト値をさらに含んでよい。少なくとも１つの伝送タイミングセットが無効である場合、端末は、デフォルト値に基づいて伝送タイミング値を決定する。例えば、伝送タイミング値はデフォルト値に等しい。
【００４６】
任意で、デフォルト値は、システムによって予め規定されてよい。具体的には、デフォルト値は、基地局および端末が事前に知り得る値、または、構成され得る値であってよい。例えば、端末は、受信したシステム情報またはランダムアクセスに関連する情報に基づいて値を決定してよい。ランダムアクセスに関連する情報は、端末が最初のアクセスを行うときに基地局が送信する第２のメッセージまたは第４のメッセージであってよい。
【００４７】
端末が使用する少なくとも１つのタイミングセットが無効になった後、基地局が新しいタイミング値を使用するにもかかわらず端末が無効なタイミング値を使用した場合、データがうまく伝送されない場合がある、という技術的課題が、デフォルト値を設定することで解決され得る。
【００４８】
段階１０２：基地局が、上位層シグナリングを端末に送信する。
【００４９】
段階１０３：基地局が、ダウンリンク制御情報（ＤＣＩ）を決定する。ここで、ＤＣＩは、少なくとも１つの伝送タイミングセットの中から伝送タイミング値を決定するよう端末に命令するために使用され、決定された伝送タイミング値は、端末が使用するよう命令される、フィードバック情報を送信するときに使用するスロットである。
【００５０】
具体的には、ＤＣＩは、第１の伝送タイミングセットにおける伝送タイミング値と第２の伝送タイミングセットにおける伝送タイミング値とを示す情報フィールドを含む。例えば、ＤＣＩは伝送タイミング値を示す情報フィールドを含み、情報フィールドは、伝送タイミングセットにおける特定の伝送タイミング値を示すために使用される。この場合、ＤＣＩは、現在のサブフレームにスケジューリングされたダウンリンクデータの送達確認情報のフィードバックのための間隔を端末に対して示すために使用される２ビットの指示フィールドを含む。ＤＣＩの値が"００"である場合、当該セットにおける対応する伝送タイミング値はｋ１である。端末がＤＣＩを受信するとき、それは、伝送タイミング値が"００"であることを示し、端末は、スロットまたはサブフレームｎ＋ｋ１において基地局にＡＣＫ／ＮＡＣＫなどの送達確認情報をフィードバックする。
【００５１】
伝送タイミング情報指示方式は、ＤＣＩのフォーマットと第１の情報フィールドとを併用して伝送タイミング値を示す。具体的な指示プロセスは、ＤＣＩのＤＣＩフォーマットが第１の情報フィールドを含み、基地局が第１の情報フィールドに基づいて伝送タイミングセットにおける伝送タイミング値を示すことを含む。ここで、２またはそれより多い伝送タイミングセットが存在する場合、ＤＣＩはこれらの伝送タイミングセットの中から伝送タイミング値を決定するよう端末に命令するために使用され、基地局は、ＤＣＩのＤＣＩフォーマットであって、紐付け関係を有するセットにおける伝送タイミング値を示すために使用される第１の情報フィールドを含むＤＣＩフォーマット、に基づいて少なくとも１つの伝送タイミングセットのうちの１つを決定するか、または、ＤＣＩによって占有される制御チャネル時間周波数リソースにおいて送信を行い、制御チャネル時間周波数リソースに基づいて、少なくとも１つの伝送タイミングセットの中から少なくとも１つの伝送タイミングセットを決定することを含む。
【００５２】
別の伝送タイミング情報指示方式は、第１の情報フィールドと第２の情報フィールドとを併用して伝送タイミング値を示す。具体的には、ＤＣＩのフォーマットが使用されてよく、ＤＣＩのＤＣＩフォーマットは第１の情報フィールドを含み、伝送タイミングセットにおける伝送タイミング値は、第１の情報フィールドに基づいて示される。２またはそれより多い伝送タイミングセットが含まれるとき、ＤＣＩは、これらの伝送タイミングセットの中から伝送タイミング値を決定するよう端末に命令するために使用され、加えて、ＤＣＩのＤＣＩフォーマットは第２の情報フィールドをさらに含んでよく、第２の情報フィールドは、少なくとも１つの伝送タイミングセットの中から伝送タイミングセットを決定するために使用される。
【００５３】
任意で、当該伝送タイミングセットにおけるタイミング値が段階１０１で説明したような少なくとも１つのデフォルト値をさらに含むとき、段階１０３において任意で、基地局が、ダウンリンク制御情報（ＤＣＩ）であって、少なくとも１つの伝送タイミングセットの中から伝送タイミング値を決定するよう端末に命令するために使用されるＤＣＩ、を決定することは、ＤＣＩの指示フィールドが、デフォルト値を使用するよう端末に命令することを含む。例えば、上述の例で説明したように、ＤＣＩは、現在のサブフレームにスケジューリングされたダウンリンクデータの伝送送達確認情報をフィードバックするための間隔を端末に示すために使用される２ビットの指示フィールドを含む。ＤＣＩの値が"００"である場合、当該セットにおける対応する伝送タイミング値は、デフォルト値に基づいて決定される。指示情報が"０１，１０，１１"であるとき、指示情報は、当該タイミングセットにおける残りの値に基づいて伝送タイミング値を決定するよう端末に命令するために使用される。
【００５４】
段階１０４：基地局が、ＤＣＩを端末に送信する。
【００５５】
基地局がＤＣＩを送信するとき、ＤＣＩの指示情報によって示されるスロットは、アップリンクＡＣＫ／ＮＡＣＫを伝送するために使用することができるアップリンク伝送リソースを含む必要があり、アップリンクＡＣＫ／ＮＡＣＫを伝送するための特定の時間周波数リソース位置は、スケジューリングされたダウンリンク伝送データとの紐付け関係を有してよい。例えば、アップリンクＡＣＫ／ＮＡＣＫの周波数ドメインリソース情報は、スケジューリングされたダウンリンク伝送リソースの第１のＰＲＢ（ｐｈｙｓｉｃａｌ  ｒｅｓｏｕｒｃｅ  ｂｌｏｃｋ、物理リソースブロック）の周波数ドメイン位置との紐付け関係を有する。
【００５６】
基地局は、一次制御チャネルを介してＤＣＩを端末に送信するか、または一次制御チャネルと二次制御チャネルとの両方を介してＤＣＩを端末に送信してよい。後者の場合、ＤＣＩは、二次制御チャネルに配置される。
【００５７】
図２に示すように、図２は、２つのレベルの制御チャネルの概略構造図である。一次制御チャネルは、スロットまたはサブフレームの全体の制御エリアに位置し、二次制御チャネルは、当該サブフレームのデータエリアに位置している。ＤＣＩが一次制御チャネルおよび二次制御チャネルの両方を介して送信される場合、一次制御チャネルはリソーススケジューリング指示情報を含み、リソーススケジューリング指示情報は、二次制御チャネルにおけるＤＣＩの時間周波数リソース位置を示すために使用される。二次制御チャネルは、伝送タイミング値を示す情報を搬送するために使用される。
【００５８】
上位層シグナリングとダウンリンク制御情報（ＤＣＩ）とを併用することによって伝送タイミングを示すための方法によると、少なくとも１つの伝送タイミング値セットは、事前に上位層シグナリングにおいて構成され、ＤＣＩは、当該セットの中から特定の伝送タイミング値を選択するよう命令するために使用される。各伝送タイミングセットにおける値要素はシステムの現在のサービス状況およびサブフレーム構成などの因子に基づいて決定されるので、端末が、少なくとも１つの伝送タイミングセットを含む上位層シグナリングを受信する場合、基地局は、端末の伝送タイミング値の指示を保持するためだけにＤＣＩを使用すればよい。そうすることで、比較的長い情報ビットの保持が回避され、制御情報オーバーヘッドが低減される。
【００５９】
さらに、基地局がＤＣＩと伝送タイミングセットとの間の対応関係を構成するプロセスは、以下のケースを含む。
【００６０】
あるケースでは、基地局は、ＤＣＩフォーマットに基づいて少なくとも１つの伝送タイミングセットとの紐付け関係を確立し、それによって、端末は、ＤＣＩフォーマットに基づいて伝送タイミングセットを決定することができる。ＤＣＩフォーマットは、第１の情報フィールドを含む。第１の情報フィールドは、紐付け関係を有する当該セットにおける伝送タイミング値を示すために使用される。例えば、第１の情報フィールドは、第１のセットにおける特定の値を含む。
【００６１】
別のケースでは、紐付け関係が、ＤＣＩフォーマットと２またはそれより多い伝送タイミングセットとの間に確立される。具体的には、ＤＣＩフォーマットは第１の情報フィールドおよび第２の情報フィールドを含む。第１の情報フィールドは、伝送タイミングセットとの紐付け関係を有し、第１の情報フィールドは、複数のセットの中の、当該紐付け関係を有する伝送タイミングセットを示すために使用される。第２の情報フィールドは、紐付け関係を有する当該セットにおける伝送タイミング値を示すために使用される。
【００６２】
さらに別のケースでは、基地局は代替的に、制御チャネル時間周波数リソースに基づいて、少なくとも１つの伝送タイミングセットとの紐付け関係を確立してよい。具体的には、制御チャネル時間周波数リソースは複数のエリアを含み、各エリアはＤＣＩを送信するために使用され、各エリアは、伝送タイミングセットに対応している。ＤＣＩを受信した後、端末は、ＤＣＩが配置される制御チャネル時間周波数リソースのエリアに関する情報に基づいて、当該ＤＣＩに対応する伝送タイミングセットを決定する。
【００６３】
さらに別のケースでは、基地局は、ＤＣＩのＤＣＩフォーマットに含まれる情報ビットの長さに基づいて、異なる伝送タイミングセットとの紐付け関係を確立する。例えば、第１の伝送タイミングセットと閾値より短い情報ビット長のＤＣＩとの間で、紐付け関係が確立され、第２の伝送タイミングセットと閾値より長いかまたはそれに等しいビット長のＤＣＩとの間で、紐付け関係が確立される。
【００６４】
上述においてはいくつかの紐付け関係確立ケースだけが列挙されているのであって、上述のケースに限定されるわけではないことに留意されたい。基地局は代替的に、サブキャリア幅およびアップリンクダウンリンクサブフレーム構成などの因子に基づいて、伝送タイミングセットとＤＣＩとの間の紐付け関係を確立してよい。例えば、基地局は、サブキャリア幅に基づいてＤＣＩを決定し、ＤＣＩは、サブキャリア幅に対応する伝送タイミング値を示すために使用され、ＤＣＩは、当該サブキャリア幅に対応する伝送タイミングセットとの紐付け関係を有する。
【００６５】
伝送タイミング値指示の自由度を向上させるべく、伝送タイミングセットにおける伝送タイミング値は、ＤＣＩによって異なる。
【００６６】
さらに、上位層シグナリングにおける少なくとも１つの伝送タイミングセットは第１のサブキャリアセットを含み、第１のサブキャリアセットにおける伝送タイミング値は、サブキャリア幅によって決まる。サブキャリア幅が変化すると、第１のサブキャリアセットにおける対応する伝送タイミング値も変化する。
【００６７】
例えば、第１の時点において、基地局は、その時点のサブキャリア幅に基づいて第１のＤＣＩを決定し、第１のＤＣＩは、第１のサブキャリアセットにおける伝送タイミング値を示すために使用され、第１の時点の後の時点、例えば第２の時点、において、基地局は、第２の時点のサブキャリア幅に基づいて第２のＤＣＩを生成する。基地局は、伝送タイミングセットを調整するよう上位層シグナリングを構成することによって、および、ＤＣＩの指示を使用することによって、伝送タイミングを高い自由度で示す。
【００６８】
あるいは、２またはそれより多い伝送タイミングセットがサブキャリア幅に関連している場合、紐付け関係の構成および確立の方式は、異なる時点における異なるサブキャリア幅に基づいて異なる伝送タイミングセットを構成することであってよい。第１のサブキャリアセットおよび第２のサブキャリアセットという２つの伝送タイミングセットが、一例として使用される。第１のサブキャリアセットにおける伝送タイミング値は、第１のサブキャリア幅に基づいて決定され、第２のサブキャリアセットにおける伝送タイミング値は、第２のサブキャリア幅に基づいて決定される。システム構成が第１のサブキャリア幅であるとき、基地局はＤＣＩを決定し、当該ＤＣＩは、第１のサブキャリアセットに対応している。システム構成が第２のサブキャリア幅であるとき、基地局はＤＣＩを決定し、当該ＤＣＩは、第２のサブキャリアセットに対応している。第１のサブキャリア幅および第２のサブキャリア幅は、周波数分割多重方式または時間分割多重方式で、同じシステムにおいて構成されてよい。この実施形態では、基地局がＤＣＩにおいて示される伝送タイミング値をサブキャリア幅に基づいて決定する例は、情報指示の自由度をさらに向上させる。
【００６９】
本出願の別の実施形態では、受信側において、伝送タイミング情報受信方法がさらに提供される。図３に示すように、当該方法は以下の段階を備える。
【００７０】
段階３０１：端末が、基地局から上位層シグナリングおよびダウンリンク制御情報（ＤＣＩ）を受信する。
【００７１】
上位層シグナリングは、伝送タイミング値を示すために使用される少なくとも１つの伝送タイミングセットを有する。少なくとも１つの伝送タイミングセットの各々は、少なくとも１つの伝送タイミング値を含む。ＤＣＩは、少なくとも１つの伝送タイミングセットの中から伝送タイミング値を決定するよう端末に命令するために使用される。少なくとも１つの伝送タイミングセットは、サブキャリア幅、ＴＤＤ方式、および端末機能等のうちの少なくとも１つの因子に関連している。
【００７２】
さらに、端末はまず、基地局が送信した上位層シグナリングを受信し、次に、ＤＣＩを受信してよい。あるいは、端末は、基地局が送信した上位層シグナリングおよびＤＣＩを同時に受信する。あるいは、上位層シグナリングが端末において予め構成されているか、または端末によって取得されている場合、基地局が送信したＤＣＩは、ＤＣＩを受信する前に上位層シグナリングを取得する必要なく、直接受信されてよい。
【００７３】
基地局が上位層シグナリングを分割し、ＤＣＩを構成するプロセスは、上述の実施形態において説明された方法と同じである。ここでは詳細を繰り返さない。
【００７４】
段階３０２：端末が、ＤＣＩに基づいて少なくとも１つの伝送タイミングセットの中から伝送タイミング値を決定し、決定された伝送タイミング値に対応するスロットにおいてデータ情報および／またはフィードバック情報を基地局に送信する。
【００７５】
考えられる実装例は次のようなものである。上位層シグナリングおよびＤＣＩを取得した後、端末はまず、ＤＣＩのフォーマットに基づいて少なくとも１つの伝送タイミングセットの中から伝送タイミングセットを決定し、次に、ＤＣＩに含まれる情報フィールドにおいて搬送された指示情報に基づいて、決定された伝送タイミングセットの中から伝送タイミング値を決定する。情報フィールドは、ビット値、リソース割り当て、および変調方法などの指示情報を含む。
【００７６】
端末が２またはそれより多いＤＣＩを取得した場合、端末は、各ＤＣＩと伝送タイミングセットとの間の紐付け関係に基づいて、各ＤＣＩに対応する伝送タイミングセットを決定し、次に、ＤＣＩの情報フィールドに基づいて当該セットの中から伝送タイミング値を決定してよい。例えば、端末は、１つのスロットにおいて、第１のＤＣＩおよび第２のＤＣＩと表される２つのＤＣＩを受信し、２つのＤＣＩのフォーマットが異なり、第１のＤＣＩに含まれる情報フィールドは、第２のＤＣＩに含まれる情報フィールドとは異なる。第１のＤＣＩの情報フィールドは、リソース割り当て、変調方法、および伝送タイミング情報などの情報を含む。第２のＤＣＩの情報フィールドは、変調方法および伝送タイミング情報等を含む。
【００７７】
ＤＣＩと伝送タイミングセットとの間の対応関係の決定中、第１のＤＣＩに含まれる情報ビットの長さが第２のＤＣＩに含まれる情報ビットの長さとは異なるという場合が考えられる。伝送タイミングセットを構成するとき、基地局は、情報ビット長に基づいて伝送タイミングセットとＤＣＩとの間の紐付け関係を確立してよい。例えば、第１のセットと指定された閾値より短い情報ビット長のＤＣＩとの間で紐付け関係が確立され、当該閾値より長い情報ビット長のＤＣＩは、第２のセットに紐付けられる。次に、第１のセットにおける伝送タイミング値と第２のセットにおける伝送タイミング値とが、第１のＤＣＩにおいて保持される情報と第２のＤＣＩにおいて保持される情報とに基づいて決定される。
【００７８】
別の考えられるケースでは、第１のＤＣＩまたは第２のＤＣＩは、情報フィールドが配置されるＤＣＩに対応する第１の伝送タイミングセットまたは第２の伝送タイミングセットを示すために使用される情報フィールドを含む。具体的には、情報フィールドは、１ビットの指示情報を含み、ビット値が"０"のとき、端末は第１の伝送タイミングセットを決定し、ビット値が"１"のとき、端末は第２の伝送タイミングセットを決定する。
【００７９】
あるいは、端末が一次制御チャネルおよび二次制御チャネルを介してＤＣＩを取得する場合、ＤＣＩに基づいて少なくとも１つの伝送タイミングセットの中から伝送タイミング値を決定する段階は、端末が一次制御チャネルからリソーススケジューリング指示情報を取得する段階と、リソーススケジューリング指示情報に基づいて二次制御チャネルの時間周波数リソース位置を決定する段階と、二次制御チャネルの時間周波数リソース位置において搬送されるＤＣＩに基づいて少なくとも１つの伝送タイミングセットの中から伝送タイミング値を決定する段階とを有する。
【００８０】
この実施形態において提供される方法によると、少なくとも１つのタイミング値セットは、まず上位層シグナリング使用することによって構成され、次に、特定のタイミング値が、物理層の制御指示情報ＤＣＩを使用することによって示される。このようにして、高い自由度で伝送タイミング値が構成され、複数のタイミング関係を物理層の指示情報と共に動的に示すことができる。
【００８１】
加えて、各ＤＣＩは、少なくとも１つの伝送タイミングセットに紐付けられる。そのような紐付けは、ＤＣＩフォーマット、ＤＣＩの情報ビット長、およびサブキャリア幅等に基づいて行われてよく、それによって、ＤＣＩと伝送タイミング値セットとの間の暗黙的に示された関係を確立する。これにより、ＤＣＩのシグナリングオーバーヘッドが低減される。
【００８２】
図５を参照すると、図５は、本出願に係る基地局一実施形態の概略構造図である。基地局は、図１に関連する一実施形態の伝送タイミング情報送信方法を行うよう構成されてよい。
【００８３】
図５に示すように、基地局は、送受信ユニット５０１および処理ユニット５０２を備える。送受信ユニット５０１および処理ユニット５０２に加えて、基地局は、記憶ユニットなどの他のユニットまたはモジュールを備えてよい。
【００８４】
一実施形態において、処理ユニット５０２は、上位層シグナリングを構成するよう構成される。ここで、当該上位層シグナリングは、伝送タイミング値を示すために使用される少なくとも１つの伝送タイミングセットを有し、少なくとも１つの伝送タイミングセットの各々は少なくとも１つの伝送タイミング値を含み、少なくとも１つの伝送タイミングセットは、サブキャリア幅、ＴＤＤ方式、および端末機能等のうちの少なくとも１つの因子に関連している。
【００８５】
送受信ユニット５０１は、上位層シグナリングを端末に送信するよう構成される。
【００８６】
処理ユニット５０２はさらに、ダウンリンク制御情報（ＤＣＩ）を決定するよう構成される。ここで、ＤＣＩは、少なくとも１つの伝送タイミングセットの中から伝送タイミング値を決定するよう端末に命令するために使用され、決定された伝送タイミング値は、端末が使用するよう命令される、フィードバック情報を送信するときに使用するスロットである。
【００８７】
送受信ユニット５０１はさらに、ＤＣＩを端末に送信するよう構成される。
【００８８】
伝送タイミング値は、基地局による端末へのダウンリンクデータの送信と、基地局による、端末が送信したアップリンク送達確認情報の受信との間隔に関する情報、または、基地局による端末へのアップリンクスケジューリング情報の送信と、端末によるアップリンクデータの送信との間隔に関する情報を含む。間隔に関する情報は、スロット数を含む。
【００８９】
任意で、ＤＣＩが、少なくとも１つの伝送タイミングセットの中から伝送タイミング値を決定するよう端末に命令するために使用されることは、ＤＣＩのＤＣＩフォーマットが第１の情報フィールドを含み、伝送タイミングセットにおける伝送タイミング値が第１の情報フィールドに基づいて示されることを含む。少なくとも１つの伝送タイミングセットが少なくとも２つの伝送タイミングセットである場合、ＤＣＩが、少なくとも１つの伝送タイミングセットの中から伝送タイミング値を決定するよう端末に命令するために使用されることは、当該少なくとも１つの伝送タイミングセットのうちの１つが、ＤＣＩのＤＣＩフォーマットに基づいて決定され、ＤＣＩフォーマットが第１の情報フィールドを含み、第１の情報フィールドは、紐付け関係を有するセットにおける伝送タイミング値を示すために使用されること、または、ＤＣＩによって占有される制御チャネル時間周波数リソースにおいて送信が行われ、少なくとも２つの伝送タイミングセットのうちの少なくとも１つが制御チャネル時間周波数リソースに基づいて決定されること、をさらに含む。
【００９０】
任意で、ＤＣＩが、少なくとも１つの伝送タイミングセットの中から伝送タイミング値を決定するよう端末に命令するために使用されることは、ＤＣＩのＤＣＩフォーマットが第１の情報フィールドを含み、伝送タイミングセットにおける伝送タイミング値が第１の情報フィールドに基づいて示されることを含む。少なくとも１つの伝送タイミングセットが少なくとも２つの伝送タイミングセットである場合、ＤＣＩが、少なくとも１つの伝送タイミングセットにおいて伝送タイミング値を決定するよう端末に命令するために使用されることは、ＤＣＩのＤＣＩフォーマットが第２の情報フィールドをさらに含み、少なくとも１つの伝送タイミングセットのうちの１つが第２の情報フィールドに基づいて決定されることをさらに含む。
【００９１】
任意で、処理ユニット５０２はさらに、ＤＣＩフォーマットに基づいて、少なくとも１つの伝送タイミングセットとの紐付け関係を確立するよう構成されてよい。ＤＣＩフォーマットは第１の情報フィールドを含み、第１の情報フィールドは、当該紐付け関係を有するセットにおける伝送タイミング値を示すために使用される。
【００９２】
任意で、処理ユニット５０２はさらに、ＤＣＩフォーマットに基づいて、少なくとも２つの伝送タイミングセットとの紐付け関係を確立するよう構成されてよい。ＤＣＩのフォーマットは、第１の情報フィールドおよび第２の情報フィールドを含み、第１の情報フィールドは、ＤＣＩと、少なくとも２つの伝送タイミングセットのうちの１つとの間の紐付け関係が存在することを示すために使用され、第２の情報フィールドは、当該紐付け関係を有するセットにおける伝送タイミング値を示すために使用される。
【００９３】
任意で、少なくとも１つの伝送タイミングセットは第１のサブキャリアセットを含み、第１のサブキャリアセットにおける伝送タイミング値は、サブキャリア幅によって決まる。
【００９４】
任意で、少なくとも１つの伝送タイミングセットは、第１のサブキャリアセットおよび第２のサブキャリアセットを含み、第１のサブキャリアセットにおける伝送タイミング値は、第１のサブキャリア幅に基づいて決定され、第２のサブキャリアセットにおける伝送タイミング値は、第２のサブキャリア幅に基づいて決定され、第１のサブキャリアセットにおける伝送タイミング値のうちの少なくとも１つは、第２のサブキャリアセットにおける伝送タイミング値とは異なる。
【００９５】
任意で、送受信ユニット５０１は、具体的に、一次制御チャネルを介してＤＣＩを端末に送信するか、または、一次制御チャネルおよび二次制御チャネルを介してＤＣＩを端末に送信するよう構成されてよい。後者の場合、ＤＣＩは、二次制御チャネルに配置される。
【００９６】
任意で、記憶ユニットは、上位層シグナリングと生成されたＤＣＩ情報とを記憶し、端末からのデータまたは情報、例えばＡＣＫ／ＮＡＣＫ情報、を記憶するよう構成される。
【００９７】
この実施形態において提供される基地局および端末によると、基地局側において構成される上位層シグナリングは、少なくとも１つの伝送タイミング値セットを含み、伝送タイミング値セットにおける要素は、システムの現在のサービスおよびサブフレーム構成に基づいて高い自由度で構成される。端末は、ダウンリンク制御情報（ＤＣＩ）を受信することによって、現在の伝送中に伝送タイミング値、例えばＨＡＲＱタイミング値、を決定する。伝送タイミング値に加えて、ＤＣＩは、ダウンリンクデータまたはアップリンクデータのスケジューリング指示情報をさらに含む。伝送タイミングは、スケジューリング情報と共に送信される。ユーザ機器が、ダウンリンクデータの受信と、ＡＣＫ／ＮＡＣＫのフィードバックとの間隔に関する情報を決定してよく、または、ユーザ機器が、アップリンクスケジューリング情報の受信と、アップリンクデータの送信との間隔に関する情報を決定してよい。
【００９８】
図６を参照すると、図６は、本出願に係る端末の一実施形態の概略構造図である。当該端末は、図３に関連する一実施形態の伝送タイミング情報受信方法を行うよう構成されてよい。
【００９９】
図６に示すように、端末は、送受信ユニット６０１および処理ユニット６０２を備えてよい。送受信ユニット６０１および処理ユニット６０２に加えて、端末は、記憶ユニットなどの他のユニットまたはモジュールを備えてよい。
【０１００】
一実施形態において、送受信ユニット６０１は、上位層シグナリングおよびダウンリンク制御情報（ＤＣＩ）を受信するよう構成されてよい。上位層シグナリングは、伝送タイミング値を示すために使用される少なくとも１つの伝送タイミングセットを有する。少なくとも１つの伝送タイミングセットの各々は、少なくとも１つの伝送タイミング値を含む。ＤＣＩは、少なくとも１つの伝送タイミングセットの中から伝送タイミング値を決定するよう端末に命令するために使用される。少なくとも１つの伝送タイミングセットは、サブキャリア幅、ＴＤＤ方式、および端末機能等のうちの少なくとも１つの因子に関連している。
【０１０１】
処理ユニット６０２は、ＤＣＩに基づいて、少なくとも１つの伝送タイミングセットの中から伝送タイミング値を決定するよう構成される。
【０１０２】
送受信ユニット６０１はさらに、決定された伝送タイミング値に対応するスロットにおいてフィードバック情報を送信するよう構成される。
【０１０３】
任意で、処理ユニット６０２は、具体的に、ＤＣＩのフォーマットに基づいて、少なくとも１つの伝送タイミングセットのうちの１つを決定し、ＤＣＩの情報フィールドに含まれる搬送される指示情報に基づいて、決定された伝送タイミングセットの中から伝送タイミング値を決定するよう構成される。
【０１０４】
任意で、端末が一次制御チャネルおよび二次制御チャネルを介してＤＣＩを取得する場合、処理ユニット６０２は、具体的に、一次制御チャネルからリソーススケジューリング指示情報を取得し、リソーススケジューリング指示情報に基づいて二次制御チャネルの時間周波数リソース位置を決定し、二次制御チャネルの時間周波数リソース位置において搬送されるＤＣＩに基づいて、少なくとも１つの伝送タイミングセットの中から伝送タイミング値を決定するよう構成される。
【０１０５】
図７を参照すると、図７は、本出願に係る基地局の一実施形態の概略構造図である。当該端末は、上述の実施形態のいずれかの基地局であってよく、上述の実施形態の伝送タイミング情報送信方法の段階を行うよう構成される。
【０１０６】
図７に示すように、基地局は、送受信機７０１とプロセッサ７０２と通信バス７０３とメモリ７０４とを備えてよい。送受信機７０１は、少なくとも１つの通信インタフェースおよび／またはＩ／Ｏインタフェースを有する。
【０１０７】
プロセッサ７０２は、基地局の制御中心であり、様々なインタフェースおよび配線を使用することによって端末全体の様々な部分に接続され、メモリ７０４に記憶されたソフトウェアプログラムおよび／またはモジュールを動作させ、または実行し、メモリに記憶されたデータを呼び出す。そうして、基地局の様々な機能が行われ、および／またはデータが処理される。プロセッサ７０２は、集積回路（ｉｎｔｅｇｒａｔｅｄ  ｃｉｒｃｕｉｔ、略してＩＣ）、例えば、単一のパッケージングされたＩＣを含んでよく、または、同じ機能もしくは異なる機能を有する複数のパッケージングされたＩＣを接続することによって形成されてよい。例えば、プロセッサは、中央演算処理装置（ｃｅｎｔｒａｌ  ｐｒｏｃｅｓｓｉｎｇ  ｕｎｉｔ、略してＣＰＵ）のみを含んでよく、または、ＧＰＵとデジタル信号プロセッサ（ｄｉｇｉｔａｌ  ｓｉｇｎａｌ  ｐｒｏｃｅｓｓｏｒ、略してＤＳＰ）と送受信モジュールの制御チップ（ベースバンドチップなど）との組み合わせであってよい。本出願の本実装では、ＣＰＵは、シングルオペレーションのコアまたはマルチオペレーションのコアであってよい。
【０１０８】
送受信機７０１は、通信チャネルを確立するよう構成される。それにより、基地局は、通信チャネルを使用することによって受信端末に接続されて、基地局と端末との間のデータ伝送が実装される。送受信機は、無線ローカルエリアネットワーク（ｗｉｒｅｌｅｓｓ  ｌｏｃａｌ  ａｒｅａ  ｎｅｔｗｏｒｋ、略してＷＬＡＮ）モジュール、Ｂｌｕｅｔｏｏｔｈ（登録商標）モジュール、またはベースバンド（ｂａｓｅｂａｎｄ）モジュールなどの通信モジュールと、当該通信モジュールに対応する無線周波数（ｒａｄｉｏ  ｆｒｅｑｕｅｎｃｙ、略してＲＦ）回路とを含んでよく、無線ローカルエリアネットワーク通信、Ｂｌｕｅｔｏｏｔｈ（登録商標）通信、赤外線通信、かつ／または、例えば、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、略してＷＣＤＭＡ（登録商標））および／もしくは高速ダウンリンクパケットアクセス（ｈｉｇｈ  ｓｐｅｅｄ  ｄｏｗｎｌｉｎｋ  ｐａｃｋｅｔ  ａｃｃｅｓｓ、略してＨＳＤＰＡ）といったセルラ通信システム通信を行うよう構成される。送受信機は、端末のコンポーネントの通信を制御するよう構成され、ダイレクトメモリアクセス（ｄｉｒｅｃｔ  ｍｅｍｏｒｙ  ａｃｃｅｓｓ）をサポートすることができる。
【０１０９】
本出願のこの実施形態では、送受信機７０１によって実装される機能は、基地局の送受信ユニットによって実装されてよく、または、プロセッサ７０２が送受信ユニットを制御することによって実装されてよい。プロセッサ７０２によって実装される機能が、処理ユニット５０２によって実装されてよい。
【０１１０】
図８を参照すると、図８は、本出願に係る端末のネットワーク側の一実施形態の概略構造図である。当該端末は、上述の実施形態のいずれかのネットワーク側デバイスであってよく、上述の実施形態の方法の段階を行うよう構成される。
【０１１１】
端末は、送受信機８０１とプロセッサ８０２と通信バス８０３とメモリ８０４とを備えてよい。送受信機８０１は、少なくとも１つの通信インタフェースおよび／またはＩ／Ｏインタフェースを有する。
【０１１２】
送受信機８０１は、基地局が送信した上位層シグナリングおよびＤＣＩを受信し、フィードバック情報、例えばＡＣＫ／ＮＡＣＫメッセージ、を基地局に送信するよう構成されてよい。送受信機は、データを基地局または別のネットワーク側デバイスに送信するよう、プロセッサによって制御されてよい。
【０１１３】
プロセッサ８０２は、端末の制御中心であり、様々なインタフェースおよび配線を使用することによってネットワーク側デバイス全体の様々な部分に接続され、メモリに記憶されたソフトウェアプログラムおよび／またはモジュールを動作させ、または実行し、メモリに記憶されたデータを呼び出す。そうして、端末の様々な機能が行われ、かつ／または、データが処理される。プロセッサは、中央演算処理装置（ｃｅｎｔｒａｌ  ｐｒｏｃｅｓｓｉｎｇ  ｕｎｉｔ、ＣＰＵ）、ネットワークプロセッサ（ｎｅｔｗｏｒｋ  ｐｒｏｃｅｓｓｏｒ、ＮＰ）、またはＣＰＵとＮＰとの組み合わせであってよい。プロセッサは、ハードウェアチップをさらに有してよい。ハードウェアチップは、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、プログラマブルロジックデバイス（ｐｒｏｇｒａｍｍａｂｌｅ  ｌｏｇｉｃ  ｄｅｖｉｃｅ、ＰＬＤ）、またはそれらの組み合わせであってよい。ＰＬＤは、コンプレックスプログラマブルロジックデバイス（ｃｏｍｐｌｅｘ  ｐｒｏｇｒａｍｍａｂｌｅ  ｌｏｇｉｃ  ｄｅｖｉｃ、ＣＰＬＤ）、フィールドプログラマブルゲートアレイ（ｆｉｅｌｄ−ｐｒｏｇｒａｍｍａｂｌｅ  ｇａｔｅ  ａｒｒａｙ、ＦＰＧＡ）、ジェネリックアレイロジック（ｇｅｎｅｒｉｃ  ａｒｒａｙ  ｌｏｇｉｃ、ＧＡＬ）、またはそれらの任意の組み合わせであってよい。
【０１１４】
メモリ８０４は、取得した上位層シグナリングおよびＤＣＩ情報を記憶するよう構成される。メモリは、例えばランダムアクセスメモリ（ｒａｎｄｏｍ  ａｃｃｅｓｓ  ｍｅｍｏｒｙ、ＲＡＭ）といった揮発性メモリ（ｖｏｌａｔｉｌｅ  ｍｅｍｏｒｙ）を含んでよく、または、例えばフラッシュメモリ（ｆｌａｓｈ  ｍｅｍｏｒｙ）、ハードディスクドライブ（ｈａｒｄ  ｄｉｓｋ  ｄｒｉｖｅ、ＨＤＤ）、もしくはソリッドステートドライブ（ｓｏｌｉｄ−ｓｔａｔｅ  ｄｒｉｖｅ、ＳＳＤ）といった不揮発性メモリ（ｎｏｎ−ｖｏｌａｔｉｌｅ  ｍｅｍｏｒｙ）を含んでよい。メモリは、上述のタイプのメモリの組み合わせをさらに含んでよい。メモリは、プログラムまたはコードを記憶してよい。ネットワークエレメントのプロセッサは、当該プログラムまたはコードを実行することによってネットワークエレメントの機能を実装してよい。
【０１１５】
本出願の一実施形態は、上述の実施形態において提供された伝送タイミング情報送信方法および伝送タイミング情報受信方法が使用するためのコンピュータソフトウェア命令を記憶するよう構成されるコンピュータ記憶媒体を提供する。当該コンピュータソフトウェア命令は、上述の方法の実施形態を実行するよう設計されるプログラムを有する。記憶されたプログラムが実行されて、伝送タイミング情報が送受信される。
【０１１６】
当業者であれば、本発明の実施形態が方法、装置（デバイス）、またはコンピュータプログラム製品として提供されてよいことを理解するであろう。したがって、本発明は、ハードウェアだけの実施形態、ソフトウェアだけの実施形態、または、ソフトウェアとハードウェアとの組み合わせによる実施形態の形で使用されてよい。さらに、本発明は、コンピュータ利用可能プログラムコードを有する１または複数のコンピュータ利用可能記憶媒体（限定されないが、磁気ディスクメモリ、ＣＤ−ＲＯＭ、および光メモリ等を含む）において実装されるコンピュータプログラム製品の形を使用してよい。コンピュータプログラムは、適切な媒体に記憶／分散され、他のハードウェアに提供されるか、もしくはハードウェアの一部として使用され、または、インターネットもしくは別の有線もしくは無線の遠隔通信システムを使用することなどによって、別の形で分散されてよい。
【０１１７】
本明細書内の実施形態間の同じまたは同様の部分については、相互引用が行われる。特に、デバイスの実施形態は本質的に方法の実施形態と同様なので、簡潔に説明されており、関連部分については方法の実施形態の説明を参照されたい。
【０１１８】
上述の説明は、本出願の実装例であって、本出願の保護範囲を限定することを意図したものではない。
【国際調査報告】
2019533391.tif 000011
2019533391.tif 000012
2019533391.tif 000013
2019533391.tif 000014